(57)【要約】【課題】放電灯の個体差によらず、放電灯の寿命を向上できる放電灯駆動装置を提供する。【解決手段】本発明の放電灯駆動装置の一つの態様は、第１電極および第２電極を有する放電灯に駆動電流を供給する放電灯駆動部と、放電灯駆動部を制御する制御部と、駆動電流の複数の駆動パターンを格納する記憶部と、放電灯の電極間電圧を検出する電圧検出部と、を備え、制御部は、機械学習に基づいて、複数の駆動パターンのうちいずれか１つの駆動パターンを選択し、選択された駆動パターンを実行し、制御部は、電極間電圧が所定電圧値よりも大きい場合、放電灯の照度に関する照度情報に基づいて、放電灯に供給される駆動電力を調整することを特徴とする。【選択図】図１２
2019114432.tif 000002
【特許請求の範囲】
【請求項１】
第１電極および第２電極を有する放電灯に駆動電流を供給する放電灯駆動部と、
前記放電灯駆動部を制御する制御部と、
前記駆動電流の複数の駆動パターンを格納する記憶部と、
前記放電灯の電極間電圧を検出する電圧検出部と、
を備え、
前記制御部は、機械学習に基づいて、前記複数の駆動パターンのうちいずれか１つの駆動パターンを選択し、選択された前記駆動パターンを実行し、
前記制御部は、前記電極間電圧が所定電圧値よりも大きい場合、前記放電灯の照度に関する照度情報に基づいて、前記放電灯に供給される駆動電力を調整することを特徴とする放電灯駆動装置。
【請求項２】
前記照度情報は、前記電極間電圧を含み、
前記制御部は、前記電極間電圧が前記所定電圧値よりも大きい場合、前記電極間電圧の増加に応じて前記放電灯の照度を低下させる、請求項１に記載の放電灯駆動装置。
【請求項３】
前記制御部は、前記電極間電圧が前記所定電圧値よりも大きい場合、前記電極間電圧の増加量に対して所定の変化量で前記放電灯の照度を低下させる、請求項２に記載の放電灯駆動装置。
【請求項４】
前記制御部は、前記電極間電圧が前記所定電圧値以下の場合、前記電極間電圧によらず前記放電灯の照度が一定に維持されるように前記駆動電力を調整する、請求項１から３のいずれか一項に記載の放電灯駆動装置。
【請求項５】
前記制御部は、前記電極間電圧が前記所定電圧値以下の場合、前記放電灯に電流値が一定となる前記駆動電流を供給する、請求項４に記載の放電灯駆動装置。
【請求項６】
前記放電灯から射出される光の照度を計測する照度センサーをさらに備え、
前記照度情報は、前記照度センサーによって計測された値を含む、請求項１から５のいずれか一項に記載の放電灯駆動装置。
【請求項７】
光を射出する放電灯と、
請求項１から６のいずれか一項に記載の放電灯駆動装置と、
を備えることを特徴とする光源装置。
【請求項８】
請求項７に記載の光源装置と、
前記光源装置から射出される光を画像信号に応じて変調する光変調装置と、
前記光変調装置により変調された光を投射する投射光学系と、
を備えることを特徴とするプロジェクター。
【請求項９】
第１電極および第２電極を有する放電灯に駆動電流を供給して、前記放電灯を駆動する放電灯駆動方法であって、
機械学習に基づいて、前記駆動電流の複数の駆動パターンのうちいずれか１つの駆動パターンを選択し、選択された駆動パターンを実行し、
前記放電灯の電極間電圧が所定電圧値よりも大きい場合、前記放電灯の照度に関する照度情報に基づいて、前記放電灯に供給される駆動電力を調整することを特徴とする放電灯駆動方法。
【発明の詳細な説明】
【技術分野】
【０００１】
本発明は、放電灯駆動装置、光源装置、プロジェクター、および放電灯駆動方法に関する。
【背景技術】
【０００２】
例えば、特許文献１に示すように、放電ランプに印加される印加電圧の値に応じて放電ランプに供給される交流電流のパルスを変化させる放電ランプ点灯装置が知られている。
【先行技術文献】
【特許文献】
【０００３】
【特許文献１】特開２０１６−０１８７４６号公報
【発明の概要】
【発明が解決しようとする課題】
【０００４】
しかし、放電ランプ（放電灯）には個体差があり、放電ランプに印加される印加電圧（電極間電圧）の変化は放電ランプの個体ごとに異なる。そのため、放電ランプの個体差を考慮できない駆動方法によっては、放電ランプの寿命を十分に向上できない場合があった。
【０００５】
本発明の一つの態様は、上記事情に鑑みて、放電灯の個体差によらず、放電灯の寿命を向上できる放電灯駆動装置、そのような放電灯駆動装置を備えた光源装置、およびそのような光源装置を備えたプロジェクターを提供することを目的の一つとする。また、本発明の一つの態様は、放電灯の個体差によらず、放電灯の寿命を向上できる放電灯駆動方法を提供することを目的の一つとする。
【課題を解決するための手段】
【０００６】
本発明の放電灯駆動装置の一つの態様は、第１電極および第２電極を有する放電灯に駆動電流を供給する放電灯駆動部と、前記放電灯駆動部を制御する制御部と、前記駆動電流の複数の駆動パターンを格納する記憶部と、前記放電灯の電極間電圧を検出する電圧検出部と、を備え、前記制御部は、機械学習に基づいて、前記複数の駆動パターンのうちいずれか１つの駆動パターンを選択し、選択された前記駆動パターンを実行し、前記制御部は、前記電極間電圧が所定電圧値よりも大きい場合、前記放電灯の照度に関する照度情報に基づいて、前記放電灯に供給される駆動電力を調整することを特徴とする。
【０００７】
本発明の放電灯駆動装置の一つの態様によれば、制御部は、機械学習に基づいて、複数の駆動パターンのうちからいずれか１つの駆動パターンを選択して、選択した駆動パターンを実行する。そのため、放電灯に個体差がある場合であっても、機械学習を行うことで、放電灯の個体差に応じて、好適な駆動パターンを選択することができる。したがって、本発明の放電灯駆動装置の一つの態様によれば、放電灯の個体差によらず、放電灯の寿命を向上させることができる。
【０００８】
また、機械学習に基づいて駆動パターンが選択されるため、放電灯に供給される駆動電力を変化させた場合であっても、駆動電力の変化に応じて、好適な駆動パターンを選択することができる。これにより、放電灯に供給される駆動電力を容易に多段階で変化させることが可能となる。また、駆動電力を任意に変更することが可能となるため、放電灯の寿命を向上させる際に変化させる駆動パターンの駆動パラメーターの一つとして、駆動電力を用いることも可能となる。これにより、放電灯の寿命をより向上させることができる。
【０００９】
本発明の放電灯駆動装置の一つの態様によれば、制御部は、電極間電圧が所定電圧値よりも大きい場合、放電灯の照度に関する照度情報に基づいて、放電灯に供給される駆動電力を調整する。そのため、電極間電圧が増加した場合に、駆動電力を増加させることで、放電灯の照度が低下することを抑制できる。これにより、放電灯の照度維持率が比較的高い状態で使用される期間を長くしやすく、使用者の快適性を向上できる。
【００１０】
また、駆動電力を一定に維持し続ける場合において、電極間電圧が増加すると、放電灯に供給される駆動電流が減少するため、第１電極および第２電極に加えられる熱負荷が低下し、突起が成長しにくくなる場合がある。これに対して、本発明の放電灯駆動装置の一つの態様によれば、放電灯の照度に応じて駆動電力を調整できるため、駆動電流の値を維持でき、第１電極および第２電極に加えられる熱負荷が低下することを抑制できる。したがって、第１電極および第２電極に十分な熱負荷を加えやすく、突起を成長させやすい。その結果、放電灯の寿命を向上させることができる。また、上述したように、このように電極間電圧の変動に基づいて駆動電力を変化させても、機械学習を用いることで、放電灯の寿命が低下することを抑制できる。
【００１１】
前記照度情報は、前記電極間電圧を含み、前記制御部は、前記電極間電圧が前記所定電圧値よりも大きい場合、前記電極間電圧の増加に応じて前記放電灯の照度を低下させる構成としてもよい。
例えば、駆動電力を調整して放電灯の照度を初期の照度に維持し続ける場合、電極間電圧が増加するほど駆動電力が大きくなり続け、放電灯への負荷が過大になる場合がある。そのため、放電灯の寿命が低下する場合があった。
【００１２】
これに対して、この構成によれば、制御部は、電極間電圧が所定電圧値よりも大きい場合、電極間電圧の増加に応じて放電灯の照度を低下させる。これにより、電極間電圧が所定電圧値よりも大きい場合において、放電灯に供給される駆動電力は、放電灯の照度を所定電圧値以下の場合と同じ目標照度に調整する場合に比べて、小さくなる。したがって、放電灯への負荷が過大になりにくく、放電灯の寿命が低下することを抑制できる。その結果、比較的長期間、放電灯の照度を比較的大きい値に維持できる放電灯が実現される。
【００１３】
また、電極間電圧の増加量に対する放電灯の照度の減少量を十分に小さくすることで、放電灯の照度の変化を使用者に気づかせにくい。これにより、使用者の快適性が低下することを抑制できる。具体的には、電極間電圧が１Ｖ増加した場合の放電灯の照度維持率の減少量を３％以下とすることで、放電灯の照度の変化を好適に使用者に気づかせにくい。
【００１４】
また、駆動電力の値が小さくなって放電灯への負荷が小さくなることで、第１電極および第２電極の突起が成長しやすくなり、電極間電圧が低下しやすい。その結果、電極間電圧は、所定電圧値を超えた後に再び所定電圧値以下となる挙動を繰り返し、所定電圧値の近傍に維持される。これにより、電極間電圧が増加することを抑制でき、駆動電力を比較的小さく抑えた上で、放電灯の照度を維持できる。したがって、放電灯の寿命を向上できる。
【００１５】
前記制御部は、前記電極間電圧が前記所定電圧値よりも大きい場合、前記電極間電圧の増加量に対して所定の変化量で前記放電灯の照度を低下させる構成としてもよい。
この構成によれば、電極間電圧が増加し続ける場合に、一定の度合いで放電灯の照度を徐々に低下させることができる。したがって、使用者がより放電灯の照度の変化に気づきにくく、使用者の快適性が低下することをより抑制できる。
【００１６】
前記制御部は、前記電極間電圧が前記所定電圧値以下の場合、前記電極間電圧によらず前記放電灯の照度が一定に維持されるように前記駆動電力を調整する構成としてもよい。
この構成によれば、使用者の快適性をより向上できる。また、電極間電圧が所定電圧値以下の場合には、駆動電力の値が比較的小さい範囲で、放電灯の照度を維持できる。これにより、放電灯への負荷を比較的小さくしつつ、放電灯の照度を維持できる。したがって、放電灯の寿命が低下することをより抑制できる。また、機械学習を用いることで、電極間電圧を好適な値、例えば所定電圧値の近傍の値に維持しやすいため、照度維持率がほぼ１００％に維持されている期間を長くすることができ、使用者の快適性をより向上できる。
【００１７】
前記制御部は、前記電極間電圧が前記所定電圧値以下の場合、前記放電灯に電流値が一定となる前記駆動電流を供給する構成としてもよい。
この構成によれば、放電灯の照度を一定に維持することができる。
【００１８】
前記放電灯から射出される光の照度を計測する照度センサーをさらに備え、前記照度情報は、前記照度センサーによって計測された値を含む構成としてもよい。
この構成によれば、より直接的に放電灯の照度を計測できるため、より精度よく放電灯の照度を目標値に調整することができる。
【００１９】
本発明の光源装置の一つの態様は、光を射出する放電灯と、上記の放電灯駆動装置と、を備えることを特徴とする。
【００２０】
本発明の光源装置の一つの態様によれば、上記放電灯駆動装置を備えるため、上述したのと同様に、放電灯の寿命を向上できる。
【００２１】
本発明のプロジェクターの一つの態様は、上記の光源装置と、前記光源装置から射出される光を画像信号に応じて変調する光変調装置と、前記光変調装置により変調された光を投射する投射光学系と、を備えることを特徴とする。
【００２２】
本発明のプロジェクターは、上記の光源装置と、前記光源装置から射出される光を画像信号に応じて変調する光変調装置と、前記光変調装置により変調された光を投射する投射光学系と、を備えることを特徴とする。
【００２３】
本発明の放電灯駆動方法の一つの態様は、第１電極および第２電極を有する放電灯に駆動電流を供給して、前記放電灯を駆動する放電灯駆動方法であって、機械学習に基づいて、前記駆動電流の複数の駆動パターンのうちいずれか１つの駆動パターンを選択し、選択された駆動パターンを実行し、前記放電灯の電極間電圧が所定電圧値よりも大きい場合、前記放電灯の照度に関する照度情報に基づいて、前記放電灯に供給される駆動電力を調整することを特徴とする。
【００２４】
本発明の放電灯駆動方法の一つの態様によれば、上述したのと同様に、放電灯の寿命を向上できる。
【図面の簡単な説明】
【００２５】
【図１】本実施形態のプロジェクターを示す概略構成図である。
【図２】本実施形態における放電灯を示す図である。
【図３】本実施形態のプロジェクターの各種構成要素を示すブロック図である。
【図４】本実施形態の放電灯点灯装置の回路図である。
【図５】本実施形態の制御部の一構成例を示すブロック図である。
【図６Ａ】放電灯の電極先端の突起の様子を示す図である。
【図６Ｂ】放電灯の電極先端の突起の様子を示す図である。
【図７】本実施形態の交流駆動において放電灯に供給される駆動電流波形の一例を示す図である。
【図８Ａ】本実施形態の直流駆動において放電灯に供給される駆動電流波形の一例を示す図である。
【図８Ｂ】本実施形態の直流駆動において放電灯に供給される駆動電流波形の一例を示す図である。
【図９】本実施形態において放電灯に供給される駆動電流の駆動パターンの一例を示す図である。
【図１０】本実施形態の初期学習期間における制御部の制御手順の一例を示すフローチャートである。
【図１１】本実施形態の定常学習期間における制御部の制御手順の一例を示すフローチャートである。
【図１２】本実施形態におけるランプ電圧に対する目標照度維持率の変化を示すグラフである。
【図１３】本実施形態におけるランプ電圧に対する駆動電力の変化を示すグラフである。
【図１４Ａ】本実施形態の片寄駆動において放電灯に供給される駆動電流波形の一例を示す図である。
【図１４Ｂ】本実施形態の片寄駆動において放電灯に供給される駆動電流波形の一例を示す図である。
【図１５】本実施形態の跳上駆動において放電灯に供給される駆動電流波形の一例を示す図である。
【発明を実施するための形態】
【００２６】
以下、図面を参照しながら、本発明の実施形態に係るプロジェクターについて説明する。
なお、本発明の範囲は、以下の実施の形態に限定されず、本発明の技術的思想の範囲内で任意に変更可能である。また、以下の図面においては、各構成をわかりやすくするために、実際の構造と各構造における縮尺や数等を異ならせる場合がある。
【００２７】
図１は、本実施形態のプロジェクター５００を示す概略構成図である。図１に示すように、本実施形態のプロジェクター５００は、光源装置２００と、平行化レンズ３０５と、照明光学系３１０と、色分離光学系３２０と、３つの液晶ライトバルブ（光変調装置）３３０Ｒ，３３０Ｇ，３３０Ｂと、クロスダイクロイックプリズム３４０と、投射光学系３５０と、を備えている。
【００２８】
光源装置２００から射出された光は、平行化レンズ３０５を通過して照明光学系３１０に入射する。平行化レンズ３０５は、光源装置２００からの光を平行化する。
【００２９】
照明光学系３１０は、光源装置２００から射出される光の照度を、液晶ライトバルブ３３０Ｒ，３３０Ｇ，３３０Ｂ上において均一化するように調整する。さらに、照明光学系３１０は、光源装置２００から射出される光の偏光方向を一方向に揃える。その理由は、光源装置２００から射出される光を液晶ライトバルブ３３０Ｒ，３３０Ｇ，３３０Ｂで有効に利用するためである。
【００３０】
照度分布と偏光方向とが調整された光は、色分離光学系３２０に入射する。色分離光学系３２０は、入射光を赤色光（Ｒ）、緑色光（Ｇ）、青色光（Ｂ）の３つの色光に分離する。３つの色光は、各色光に対応付けられた液晶ライトバルブ３３０Ｒ，３３０Ｇ，３３０Ｂにより、画像信号に応じてそれぞれ変調される。液晶ライトバルブ３３０Ｒ，３３０Ｇ，３３０Ｂは、後述する液晶パネル５６０Ｒ，５６０Ｇ，５６０Ｂと、偏光板（図示せず）と、を備えている。偏光板は、液晶パネル５６０Ｒ，５６０Ｇ，５６０Ｂのそれぞれの光入射側および光射出側に配置される。
【００３１】
変調された３つの色光は、クロスダイクロイックプリズム３４０により合成される。合成光は投射光学系３５０に入射する。投射光学系３５０は、入射光をスクリーン７００（図３参照）に投射する。これにより、スクリーン７００上に画像が表示される。なお、平行化レンズ３０５、照明光学系３１０、色分離光学系３２０、クロスダイクロイックプリズム３４０、投射光学系３５０の各々の構成としては、周知の構成を採用することができる。
【００３２】
図２は、光源装置２００の構成を示す断面図である。光源装置２００は、光源ユニット２１０と、放電灯点灯装置（放電灯駆動装置）１０と、を備えている。図２には、光源ユニット２１０の断面図が示されている。光源ユニット２１０は、主反射鏡１１２と、放電灯９０と、副反射鏡１１３と、を備えている。
【００３３】
放電灯点灯装置１０は、放電灯９０に駆動電流Ｉを供給して放電灯９０を点灯させる。主反射鏡１１２は、放電灯９０から放出された光を照射方向Ｄに向けて反射する。照射方向Ｄは、放電灯９０の光軸ＡＸと平行である。
【００３４】
放電灯９０の形状は、照射方向Ｄに沿って延びる棒状である。放電灯９０の一方の端部を第１端部９０ｅ１とし、放電灯９０の他方の端部を第２端部９０ｅ２とする。放電灯９０の材料は、例えば、石英ガラス等の透光性材料である。放電灯９０の中央部は球状に膨らんでおり、その内部は放電空間９１である。放電空間９１には、希ガス、金属ハロゲン化合物等を含む放電媒体であるガスが封入されている。
【００３５】
放電空間９１には、第１電極９２および第２電極９３の先端が突出している。第１電極９２は、放電空間９１の第１端部９０ｅ１側に配置されている。第２電極９３は、放電空間９１の第２端部９０ｅ２側に配置されている。第１電極９２および第２電極９３の形状は、光軸ＡＸに沿って延びる棒状である。放電空間９１には、第１電極９２および第２電極９３の電極先端部が、所定距離だけ離れて対向するように配置されている。第１電極９２および第２電極９３の材料は、例えば、タングステン等の金属である。
【００３６】
放電灯９０の第１端部９０ｅ１に、第１端子５３６が設けられている。第１端子５３６と第１電極９２とは、放電灯９０の内部を貫通する導電性部材５３４により電気的に接続されている。同様に、放電灯９０の第２端部９０ｅ２に、第２端子５４６が設けられている。第２端子５４６と第２電極９３とは、放電灯９０の内部を貫通する導電性部材５４４により電気的に接続されている。第１端子５３６および第２端子５４６の材料は、例えば、タングステン等の金属である。導電性部材５３４，５４４の材料としては、例えば、モリブデン箔が利用される。
【００３７】
第１端子５３６および第２端子５４６は、放電灯点灯装置１０に接続されている。放電灯点灯装置１０は、第１端子５３６および第２端子５４６に、放電灯９０を駆動するための駆動電流Ｉを供給する。その結果、第１電極９２および第２電極９３の間でアーク放電が起きる。アーク放電により発生した光（放電光）は、破線の矢印で示すように、放電位置から全方向に向かって放射される。
【００３８】
主反射鏡１１２は、固定部材１１４により、放電灯９０の第１端部９０ｅ１に固定されている。主反射鏡１１２は、放電光のうち、照射方向Ｄと反対側に向かって進む光を照射方向Ｄに向かって反射する。主反射鏡１１２の反射面（放電灯９０側の面）の形状は、放電光を照射方向Ｄに向かって反射できる範囲内において、特に限定されず、例えば、回転楕円形状であっても、回転放物線形状であってもよい。例えば、主反射鏡１１２の反射面の形状を回転放物線形状とした場合、主反射鏡１１２は、放電光を光軸ＡＸに略平行な光に変換することができる。これにより、平行化レンズ３０５を省略することができる。
【００３９】
副反射鏡１１３は、固定部材５２２により、放電灯９０の第２端部９０ｅ２側に固定されている。副反射鏡１１３の反射面（放電灯９０側の面）の形状は、放電空間９１の第２端部９０ｅ２側の部分を囲む球面形状である。副反射鏡１１３は、放電光のうち、主反射鏡１１２が配置された側と反対側に向かって進む光を主反射鏡１１２に向かって反射する。これにより、放電空間９１から放射される光の利用効率を高めることができる。
【００４０】
固定部材１１４，５２２の材料は、放電灯９０からの発熱に耐え得る耐熱材料である範囲内において、特に限定されず、例えば、無機接着剤である。主反射鏡１１２および副反射鏡１１３と放電灯９０との配置を固定する方法としては、主反射鏡１１２および副反射鏡１１３を放電灯９０に固定する方法に限らず、任意の方法を採用できる。例えば、放電灯９０と主反射鏡１１２とを、独立にプロジェクター５００の筐体（図示せず）に固定してもよい。副反射鏡１１３についても同様である。
【００４１】
以下、プロジェクター５００の回路構成について説明する。
図３は、本実施形態のプロジェクター５００の回路構成の一例を示す図である。プロジェクター５００は、図１に示した光学系の他、画像信号変換部５１０と、直流電源装置８０と、液晶パネル５６０Ｒ，５６０Ｇ，５６０Ｂと、画像処理装置５７０と、ＣＰＵ（Central Processing Unit）５８０と、を備えている。
【００４２】
画像信号変換部５１０は、外部から入力された画像信号５０２（輝度−色差信号やアナログＲＧＢ信号など）を所定のワード長のデジタルＲＧＢ信号に変換して画像信号５１２Ｒ，５１２Ｇ，５１２Ｂを生成し、画像処理装置５７０に供給する。
【００４３】
画像処理装置５７０は、３つの画像信号５１２Ｒ，５１２Ｇ，５１２Ｂに対してそれぞれ画像処理を行う。画像処理装置５７０は、液晶パネル５６０Ｒ，５６０Ｇ，５６０Ｂをそれぞれ駆動するための駆動信号５７２Ｒ，５７２Ｇ，５７２Ｂを液晶パネル５６０Ｒ，５６０Ｇ，５６０Ｂに供給する。
【００４４】
直流電源装置８０は、外部の交流電源６００から供給される交流電圧を一定の直流電圧に変換する。直流電源装置８０は、トランス（図示しないが、直流電源装置８０に含まれる）の２次側にある画像信号変換部５１０、画像処理装置５７０およびトランスの１次側にある放電灯点灯装置１０に直流電圧を供給する。
【００４５】
放電灯点灯装置１０は、起動時に放電灯９０の電極間に高電圧を発生し、絶縁破壊を生じさせて放電路を形成する。以後、放電灯点灯装置１０は、放電灯９０が放電を維持するための駆動電流Ｉを供給する。
【００４６】
液晶パネル５６０Ｒ，５６０Ｇ，５６０Ｂは、前述した液晶ライトバルブ３３０Ｒ，３３０Ｇ，３３０Ｂにそれぞれ備えられている。液晶パネル５６０Ｒ，５６０Ｇ，５６０Ｂは、それぞれ駆動信号５７２Ｒ，５７２Ｇ，５７２Ｂに基づいて、前述した光学系を介して各液晶パネル５６０Ｒ，５６０Ｇ，５６０Ｂに入射される色光の透過率（輝度）を変調する。
【００４７】
ＣＰＵ５８０は、プロジェクター５００の点灯開始から消灯に至るまでの各種の動作を制御する。例えば、図３の例では、通信信号５８２を介して点灯命令や消灯命令を放電灯点灯装置１０に出力する。ＣＰＵ５８０は、放電灯点灯装置１０から通信信号５８４を介して放電灯９０の点灯情報を受け取る。
【００４８】
以下、放電灯点灯装置１０の構成について説明する。
図４は、放電灯点灯装置１０の回路構成の一例を示す図である。
放電灯点灯装置１０は、図４に示すように、電力制御回路２０と、極性反転回路３０と、制御部４０と、動作検出部６０と、イグナイター回路７０と、を備えている。
【００４９】
電力制御回路２０は、放電灯９０に供給する駆動電力Ｗｄを生成する。本実施形態においては、電力制御回路２０は、直流電源装置８０からの電圧を入力とし、入力電圧を降圧して直流電流Ｉｄを出力するダウンチョッパー回路で構成されている。
【００５０】
電力制御回路２０は、スイッチ素子２１、ダイオード２２、コイル２３およびコンデンサー２４を含んで構成される。スイッチ素子２１は、例えば、トランジスターで構成される。本実施形態においては、スイッチ素子２１の一端は直流電源装置８０の正電圧側に接続され、他端はダイオード２２のカソード端子およびコイル２３の一端に接続されている。
【００５１】
コイル２３の他端にコンデンサー２４の一端が接続され、コンデンサー２４の他端はダイオード２２のアノード端子および直流電源装置８０の負電圧側に接続されている。スイッチ素子２１の制御端子には、後述する制御部４０から電流制御信号が入力されてスイッチ素子２１のＯＮ／ＯＦＦが制御される。電流制御信号には、例えば、ＰＷＭ（Pulse Width Modulation）制御信号が用いられてもよい。
【００５２】
スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００５３】
極性反転回路３０は、電力制御回路２０から入力される直流電流Ｉｄを所定のタイミングで極性反転させる。これにより、極性反転回路３０は、制御された時間だけ継続する直流である駆動電流Ｉ、もしくは、任意の周波数を持つ交流である駆動電流Ｉを生成し、出力する。本実施形態において、極性反転回路３０は、インバーターブリッジ回路（フルブリッジ回路）で構成されている。
【００５４】
極性反転回路３０は、例えば、トランジスターなどで構成される第１のスイッチ素子３１、第２のスイッチ素子３２、第３のスイッチ素子３３、および第４のスイッチ素子３４を含んでいる。極性反転回路３０は、直列接続された第１のスイッチ素子３１および第２のスイッチ素子３２と、直列接続された第３のスイッチ素子３３および第４のスイッチ素子３４と、が互いに並列接続された構成を有する。第１のスイッチ素子３１、第２のスイッチ素子３２、第３のスイッチ素子３３、および第４のスイッチ素子３４の制御端子には、それぞれ制御部４０から極性反転制御信号が入力される。この極性反転制御信号に基づいて、第１のスイッチ素子３１、第２のスイッチ素子３２、第３のスイッチ素子３３および第４のスイッチ素子３４のＯＮ／ＯＦＦ動作が制御される。
【００５５】
極性反転回路３０においては、第１のスイッチ素子３１および第４のスイッチ素子３４と、第２のスイッチ素子３２および第３のスイッチ素子３３と、を交互にＯＮ／ＯＦＦさせる動作が繰り返される。これにより、電力制御回路２０から出力される直流電流Ｉｄの極性が交互に反転する。極性反転回路３０は、第１のスイッチ素子３１と第２のスイッチ素子３２との共通接続点、および第３のスイッチ素子３３と第４のスイッチ素子３４との共通接続点から、制御された時間だけ同一極性状態を継続する直流である駆動電流Ｉ、もしくは制御された周波数をもつ交流である駆動電流Ｉを生成し、出力する。
【００５６】
すなわち、極性反転回路３０は、第１のスイッチ素子３１および第４のスイッチ素子３４がＯＮのときには第２のスイッチ素子３２および第３のスイッチ素子３３がＯＦＦであり、第１のスイッチ素子３１および第４のスイッチ素子３４がＯＦＦのときには第２のスイッチ素子３２および第３のスイッチ素子３３がＯＮであるように制御される。したがって、第１のスイッチ素子３１および第４のスイッチ素子３４がＯＮのときには、コンデンサー２４の一端から第１のスイッチ素子３１、放電灯９０、第４のスイッチ素子３４の順に流れる駆動電流Ｉが発生する。第２のスイッチ素子３２および第３のスイッチ素子３３がＯＮのときには、コンデンサー２４の一端から第３のスイッチ素子３３、放電灯９０、第２のスイッチ素子３２の順に流れる駆動電流Ｉが発生する。
【００５７】
本実施形態において、電力制御回路２０と極性反転回路３０とを合わせた部分が放電灯駆動部２３０に対応する。すなわち、放電灯駆動部２３０は、放電灯９０を駆動する駆動電流Ｉを放電灯９０に供給する。
【００５８】
制御部４０は、放電灯駆動部２３０を制御する。図４の例では、制御部４０は、電力制御回路２０および極性反転回路３０を制御することにより、駆動電流Ｉが同一極性を継続する保持時間、駆動電流Ｉの電流値（駆動電力Ｗｄの電力値）、周波数等のパラメーターを制御する。制御部４０は、極性反転回路３０に対して、駆動電流Ｉの極性反転タイミングにより、駆動電流Ｉが同一極性で継続する保持時間、駆動電流Ｉの周波数等を制御する極性反転制御を行う。制御部４０は、電力制御回路２０に対して、出力される直流電流Ｉｄの電流値を制御する電流制御を行う。
【００５９】
本実施形態において制御部４０は、例えば、交流駆動と、直流駆動と、を実行可能である。交流駆動は、放電灯９０に交流電流が供給される駆動である。直流駆動は、放電灯９０に直流電流が供給される駆動である。各放電灯駆動によって放電灯９０に供給される駆動電流Ｉの駆動電流波形については、後段において詳述する。
【００６０】
制御部４０の構成は、特に限定されない。本実施形態においては、制御部４０は、システムコントローラー４１、電力制御回路コントローラー４２、および極性反転回路コントローラー４３を含んで構成されている。なお、制御部４０は、その一部または全てを半導体集積回路で構成してもよい。
【００６１】
システムコントローラー４１は、電力制御回路コントローラー４２および極性反転回路コントローラー４３を制御することにより、電力制御回路２０および極性反転回路３０を制御する。システムコントローラー４１は、動作検出部６０が検出したランプ電圧（電極間電圧）Ｖｌａおよび駆動電流Ｉに基づき、電力制御回路コントローラー４２および極性反転回路コントローラー４３を制御してもよい。
【００６２】
本実施形態においては、システムコントローラー４１には、記憶部４４が接続されている。
システムコントローラー４１は、記憶部４４に格納された情報に基づき、電力制御回路２０および極性反転回路３０を制御してもよい。記憶部４４には、駆動電流Ｉの複数の駆動パターンＤＷが格納されている。より具体的には、記憶部４４には、例えば、各駆動パターンＤＷを構成する各駆動に関する、駆動が実行される時間の長さ、駆動電流Ｉの電流値、周波数、周期数、極性、波形、変調パターン等の駆動パラメーターに関する情報が格納されている。駆動電流Ｉの各駆動パターンＤＷは、上述した交流駆動と直流駆動とのうち少なくとも一方を含んでいる。駆動パターンＤＷの詳細については、後段において詳述する。
【００６３】
電力制御回路コントローラー４２は、システムコントローラー４１からの制御信号に基づき、電力制御回路２０へ電流制御信号を出力することにより、電力制御回路２０を制御する。
【００６４】
極性反転回路コントローラー４３は、システムコントローラー４１からの制御信号に基づき、極性反転回路３０へ極性反転制御信号を出力することにより、極性反転回路３０を制御する。
【００６５】
制御部４０は、機械学習を行う。制御部４０は、機械学習に基づいて、記憶部４４に格納された複数の駆動パターンＤＷのうちいずれか１つの駆動パターンＤＷを選択し、選択された駆動パターンＤＷを実行する。機械学習の詳細については、後段において詳述する。
【００６６】
制御部４０は、専用回路を用いて実現され、上述した制御や後述する処理の各種制御を行うようにすることができる。これに対して、制御部４０は、例えば、ＣＰＵが記憶部４４に記憶された制御プログラムを実行することによりコンピューターとして機能し、これらの処理の各種制御を行うようにすることもできる。
【００６７】
図５は、制御部４０の他の構成例について説明するための図である。図５に示すように、制御部４０は、制御プログラムにより、電力制御回路２０を制御する電流制御手段４０−１、極性反転回路３０を制御する極性反転制御手段４０−２として機能するように構成されてもよい。
【００６８】
図４に示した例では、制御部４０は、放電灯点灯装置１０の一部として構成されている。これに対して、制御部４０の機能の一部をＣＰＵ５８０が担うように構成されていてもよい。
【００６９】
動作検出部６０は、本実施形態においては、放電灯９０のランプ電圧Ｖｌａを検出して制御部４０にランプ電圧情報を出力する電圧検出部を含む。また、動作検出部６０は、駆動電流Ｉを検出して制御部４０に駆動電流情報を出力する電流検出部などを含んでいてもよい。本実施形態においては、動作検出部６０は、第１の抵抗６１、第２の抵抗６２および第３の抵抗６３を含んで構成されている。
【００７０】
本実施形態において、動作検出部６０の電圧検出部は、放電灯９０と並列に、互いに直列接続された第１の抵抗６１および第２の抵抗６２で分圧した電圧によりランプ電圧Ｖｌａを検出する。また、本実施形態において、電流検出部は、放電灯９０に直列に接続された第３の抵抗６３に発生する電圧により駆動電流Ｉを検出する。
【００７１】
イグナイター回路７０は、放電灯９０の点灯開始時にのみ動作する。イグナイター回路７０は、放電灯９０の点灯開始時に放電灯９０の電極間（第１電極９２と第２電極９３との間）を絶縁破壊して放電路を形成するために必要な高電圧（放電灯９０の通常点灯時よりも高い電圧）を、放電灯９０の電極間（第１電極９２と第２電極９３との間）に供給する。本実施形態においては、イグナイター回路７０は、放電灯９０と並列に接続されている。
【００７２】
図６Ａおよび図６Ｂには、第１電極９２および第２電極９３の先端部分が示されている。第１電極９２および第２電極９３の先端にはそれぞれ突起５５２ｐ，５６２ｐが形成されている。図６Ａは、第１電極９２が陽極として動作し、第２電極９３が陰極として動作する第１極性状態を示している。第１極性状態では、放電により、第２電極９３（陰極）から第１電極９２（陽極）へ電子が移動する。陰極（第２電極９３）からは電子が放出される。陰極（第２電極９３）から放出された電子は陽極（第１電極９２）の先端に衝突する。この衝突によって熱が生じ、陽極（第１電極９２）の先端（突起５５２ｐ）の温度が上昇する。
【００７３】
図６Ｂは、第１電極９２が陰極として動作し、第２電極９３が陽極として動作する第２極性状態を示している。第２極性状態では、第１極性状態とは逆に、第１電極９２から第２電極９３へ電子が移動する。その結果、第２電極９３の先端（突起５６２ｐ）の温度が上昇する。
【００７４】
このように、放電灯９０に駆動電流Ｉが供給されることで、電子が衝突する陽極の温度は上昇する。一方、電子を放出する陰極は、陽極に向けて電子を放出している間、温度は低下する。
【００７５】
第１電極９２と第２電極９３との電極間距離は、突起５５２ｐ，５６２ｐの劣化とともに大きくなる。突起５５２ｐ，５６２ｐが損耗するためである。電極間距離が大きくなると、第１電極９２と第２電極９３との間の抵抗が大きくなるため、ランプ電圧Ｖｌａが大きくなる。したがって、ランプ電圧Ｖｌａを参照することによって、電極間距離の変化、すなわち、放電灯９０の劣化度合いを検出することができる。
【００７６】
なお、第１電極９２と第２電極９３とは、同様の構成であるため、以下の説明においては、代表して第１電極９２についてのみ説明する場合がある。また、第１電極９２の先端の突起５５２ｐと第２電極９３の先端の突起５６２ｐとは、同様の構成であるため、以下の説明においては、代表して突起５５２ｐについてのみ説明する場合がある。
【００７７】
以下、本実施形態の制御部４０による放電灯駆動部２３０の制御について説明する。本実施形態において制御部４０は、交流駆動および直流駆動うち少なくとも１つの駆動によって放電灯駆動部２３０を制御する。
【００７８】
本実施形態において制御部４０は、後述の１つ以上の駆動を組み合わせた駆動パターンＤＷを複数実行可能である。本実施形態において各駆動パターンＤＷは、駆動パターンＤＷを構成する各駆動における駆動パラメーターのうち少なくとも１つが互いに異なる駆動電流波形を有する。
【００７９】
以下、各駆動について説明する。図７は、交流駆動において放電灯９０に供給される駆動電流波形の一例を示す図である。図８Ａおよび図８Ｂは、直流駆動において放電灯９０に供給される駆動電流波形の一例を示す図である。図７、図８Ａおよび図８Ｂにおいて、縦軸は駆動電流Ｉを示しており、横軸は時間Ｔを示している。駆動電流Ｉは、第１極性状態である場合を正とし、第２極性状態となる場合を負として示している。
【００８０】
図７に示す交流駆動において放電灯９０に供給される駆動電流Ｉは、例えば、電流値Ｉｍと電流値−Ｉｍとの間で極性が複数回反転される矩形波交流電流である。図７に示す交流電流において、周期Ｃ１の長さは、一定である。図７に示す交流電流のデューティー比は、０．５（５０％）である。
【００８１】
図８Ａに示す直流駆動において放電灯９０に供給される駆動電流Ｉは、一定の電流値Ｉｍを有する第１極性の直流電流である。図８Ｂに示す直流駆動において放電灯９０に供給される駆動電流Ｉは、一定の電流値−Ｉｍを有する第２極性の直流電流である。
【００８２】
図９は、本実施形態において、放電灯９０に供給される駆動電流Ｉの駆動パターンＤＷの一例を示す図である。図９において縦軸は駆動電流Ｉを示しており、横軸は時間Ｔを示している。
【００８３】
図９に示される駆動パターンＤＷは、交流駆動および直流駆動から構成される。より具体的には、図９の駆動パターンＤＷは、第１交流駆動ＡＣ１、第１直流駆動ＤＣ１、第２交流駆動ＡＣ２、および第２直流駆動ＤＣ２から構成される。そして、この駆動パターンＤＷは、各交流駆動および各直流駆動に関して複数の駆動パラメーターを有する。例えば、第１交流駆動ＡＣ１は、駆動パラメーターとして、交流駆動の実行時間の長さｔａ１および交流電流の第１周波数ｆ１を有する。第１直流駆動ＤＣ１は、駆動パラメーターとして、直流駆動の実行時間の長さｔｄ１および第１極性を有する。第２交流駆動ＡＣ２は、駆動パラメーターとして、交流駆動の実行時間の長さｔａ２および交流電流の第２周波数ｆ２を有する。第２直流駆動ＤＣ２は、駆動パラメーターとして、直流駆動の実行時間の長さｔｄ２および第２極性を有する。
【００８４】
なお、図９の駆動パターンＤＷの場合、第１交流駆動ＡＣ１の実行時間の長さｔａ１および第２交流駆動ＡＣ２の実行時間の長さｔａ２は、同じとしており、また、第１交流駆動ＡＣ１の実行時間の長さｔａ１および第２交流駆動ＡＣ２の実行時間の長さｔａ２も、同じとしている。さらに、図９の駆動パターンＤＷの場合、第１交流駆動ＡＣ１における交流電流の第１周波数ｆ１および第２交流駆動ＡＣ２における交流電流の第２周波数ｆ２は、同じとしている。
【００８５】
第１周波数ｆ１および第２周波数ｆ２は、例えば、１００Ｈｚ以上、１ｋＨｚ以下である。第１交流駆動ＡＣ１の実行時間の長さｔａ１および第２交流駆動ＡＣ２の実行時間の長さｔａ２は、例えば、１０ｍｓ（ミリ秒）以上、１０ｓ（秒）以下である。第１直流駆動ＤＣ１の実行時間の長さｔｄ１および第２直流駆動ＤＣ２の実行時間の長さｔｄ２は、例えば、１０ｍｓ（ミリ秒）以上、４０ｍｓ（ミリ秒）以下である。
【００８６】
複数の駆動パターンＤＷは、例えば、上記各駆動における各駆動パラメーターの数値範囲のうちから選択された複数の数値が適宜組み合わされて構成される。例えば、組み合わせとして用いる各駆動における駆動パラメーターの種類の合計は、２種類以上、６種類以下が好ましく、駆動パラメーターの種類ごとに用意する数値は、２つ以上、６つ以下が好ましい。これらを組み合わせて複数の駆動パターンＤＷを構成することで、好ましい数の駆動パターンＤＷが得られる。
【００８７】
例えば、前述の図９に示される駆動パターンＤＷで説明された駆動パラメーターは、交流駆動の実行時間の長さ、交流駆動における交流電流の周波数、直流駆動の実行時間の長さ、および直流駆動の極性であり、この場合、各駆動における駆動パラメーターの種類の合計は、４種類である。
【００８８】
複数の駆動パターンＤＷは、上述した複数の駆動パラメーターのうちの少なくとも１つの駆動パラメーターの値が互いに異なる。駆動パターンＤＷの数は、例えば、３パターン以上、１５０パターン以下である。好ましくは、駆動パターンＤＷの数は、１０パターン以上、１００パターン以下である。より好ましくは、駆動パターンＤＷ数は、２０パターン以上、３０パターン以下である。このように駆動パターンＤＷの数を設定することで、放電灯９０の寿命をより向上できる。
【００８９】
次に、本実施形態の制御部４０による各駆動パターンＤＷの切り換えについて説明する。制御部４０は、機械学習に基づいて、駆動パターンＤＷを切り換える。本実施形態において制御部４０は、ランプ電圧Ｖｌａの変化に基づいて駆動パターンＤＷの評価を行い、この駆動パターンＤＷの評価に基づいて、駆動パターンＤＷの選択を行う。
【００９０】
本実施形態においては、複数の駆動パターンＤＷの初期評価が行われる初期学習期間と、初期学習期間の後に設けられる定常学習期間と、が設けられる。図１０は、初期学習期間における制御部４０の制御手順の一例を示すフローチャートである。なお、以下の説明においては、駆動パターンＤＷは、Ｎ個設けられ、各駆動パターンＤＷには、それぞれ１番〜Ｎ番までの番号が振られているとする。
【００９１】
図１０に示すように、制御部４０は、初期学習期間を開始した（ステップＳ１１）後、１番〜Ｎ番までの駆動パターンＤＷのうちから、初期学習期間において選択していない駆動パターンＤＷを選択する（ステップＳ１２）。制御部４０は、例えば、選択していない駆動パターンＤＷをランダムで選択する。初期学習期間を開始した直後においては、いずれの駆動パターンＤＷも選択していないため、制御部４０は、１番〜Ｎ番までの駆動パターンＤＷのうちから１つの駆動パターンＤＷを選択する。次に、動作検出部６０の電圧検出部は、放電灯９０のランプ電圧Ｖｌａ１を検出し（ステップＳ１３）、制御部４０は、検出されたランプ電圧Ｖｌａ１を記憶部４４に記憶する。そして、制御部４０は、選択された駆動パターンＤＷを実行する（ステップＳ１４）。
【００９２】
駆動パターンＤＷの実行を開始した後、制御部４０は、現在選択されている駆動パターンＤＷの実行が開始されてから初期学習時間が経過したか否かを判断する（ステップＳ１５）。初期学習時間の長さは、例えば、１０ｍｉｎ（分）以上、１２０ｍｉｎ（分）以下である。現在選択されている駆動パターンＤＷの実行が開始されてから初期学習時間が経過していない場合（ステップＳ１５：ＮＯ）、制御部４０は、現在選択されている駆動パターンＤＷを実行し続ける。
【００９３】
一方、現在選択されている駆動パターンＤＷの実行が開始されてから初期学習時間が経過した場合（ステップＳ１５：ＹＥＳ）、動作検出部６０の電圧検出部は、放電灯９０のランプ電圧Ｖｌａ２を検出し（ステップＳ１６）、制御部４０は、検出されたランプ電圧Ｖｌａ２を記憶部４４に記憶する。そして、制御部４０は、現在選択されている駆動パターンＤＷを評価する（ステップＳ１７）。
【００９４】
本実施形態において駆動パターンＤＷの評価は、ランプ電圧Ｖｌａの変化に基づいて行われる。具体的には、制御部４０は、選択された駆動パターンＤＷを初期学習時間実行した後のランプ電圧Ｖｌａ２の値と、選択された駆動パターンＤＷを実行する前のランプ電圧Ｖｌａ１に対する、駆動パターンＤＷを初期学習時間実行した後のランプ電圧Ｖｌａ２の差と、に基づいて、駆動パターンＤＷを評価する。以下の説明においては、駆動パターンＤＷを実行する前のランプ電圧Ｖｌａ１に対する、駆動パターンＤＷを初期学習時間実行した後のランプ電圧Ｖｌａ２の差を、第１変動電圧値と呼ぶ。
【００９５】
ここで、ランプ電圧Ｖｌａには、目標数値範囲が設定されている。制御部４０は、可能な限りランプ電圧Ｖｌａを目標数値範囲に維持できるように、各駆動パターンＤＷの選択・実行を行う。目標数値範囲は、例えば、６０Ｖ以上、６５Ｖ未満である。駆動パターンＤＷの評価が比較的高くなる場合は、例えば、１つの駆動パターンＤＷを実行したことでランプ電圧Ｖｌａ（１つの駆動パターンＤＷが初期学習時間実行された後のランプ電圧Ｖｌａ２）が目標数値範囲内となった場合、１つの駆動パターンＤＷを実行したことでランプ電圧Ｖｌａが目標数値範囲に近づいた場合、および１つの駆動パターンＤＷを実行する前後でランプ電圧Ｖｌａを目標数値範囲内に維持できた場合等である。また、駆動パターンＤＷの評価が比較的低い場合は、例えば、１つの駆動パターンＤＷを実行したことでランプ電圧Ｖｌａが目標数値範囲から外れた場合、および１つの駆動パターンＤＷを実行したことでランプ電圧Ｖｌａが目標数値範囲から遠ざかった場合等である。
【００９６】
一例として、１つの駆動パターンＤＷを初期学習時間実行した後のランプ電圧Ｖｌａ２が目標数値範囲よりも大きい場合、かつ、第１変動電圧値が負の値である場合、選択された１つの駆動パターンＤＷの評価は比較的高い。また、１つの駆動パターンＤＷを初期学習時間実行した後のランプ電圧Ｖｌａ２が目標数値範囲よりも大きい場合、かつ、第１変動電圧値が正の値である場合、選択された１つの駆動パターンＤＷの評価は比較的低い。一方、１つの駆動パターンＤＷを初期学習時間実行した後のランプ電圧Ｖｌａ２が目標数値範囲よりも小さい場合、かつ、第１変動電圧値が負の値である場合、選択された１つの駆動パターンＤＷの評価は比較的低い。また、１つの駆動パターンＤＷを初期学習時間実行した後のランプ電圧Ｖｌａ２が目標数値範囲よりも小さい場合、かつ、第１変動電圧値が正の値である場合、選択された１つの駆動パターンＤＷの評価は比較的高い。さらに、１つの駆動パターンＤＷを初期学習時間実行した後のランプ電圧Ｖｌａ２が目標数値範囲内である場合には、第１変動電圧値の絶対値が小さいほど、選択された１つの駆動パターンＤＷの評価は比較的高く、一方で、第１変動電圧値の絶対値が大きいほど、選択された１つの駆動パターンＤＷの評価は比較的低い。
【００９７】
なお、第１変動電圧値が負の値であるとは、１つの駆動パターンＤＷを初期学習時間実行したことでランプ電圧Ｖｌａが低下したことを意味する。第１変動電圧値が正の値であるとは、１つの駆動パターンＤＷを初期学習時間実行したことでランプ電圧Ｖｌａが上昇したことを意味する。
【００９８】
選択されている駆動パターンＤＷを評価した後、制御部４０は、初期学習期間において１番〜Ｎ番までの駆動パターンＤＷを全て実行したか否かを判断する（ステップＳ１８）。１番〜Ｎ番までの駆動パターンＤＷのうちで初期学習期間において実行していない駆動パターンＤＷがある場合（ステップＳ１８：ＮＯ）、制御部４０は、別の駆動パターンＤＷを選択して実行し、評価する（ステップＳ１２〜Ｓ１７）。一方で、初期学習期間において１番〜Ｎ番までのＮパターンの駆動パターンＤＷを全て実行した場合（ステップＳ１８：ＹＥＳ）、制御部４０は、初期学習期間を終了して、定常学習期間に移行する（ステップＳ１９）。初期学習期間の長さは、例えば、１０ｈ（時間）未満である。
【００９９】
本実施形態において、選択された駆動パターンＤＷを実行する前のランプ電圧Ｖｌａ１として、ステップＳ１２において複数の駆動パターンＤＷのうちから選択していない駆動パターンＤＷを選択した後に、動作検出部６０の電圧検出部によって放電灯９０のランプ電圧Ｖｌａを検出することとしたが、これに限られない。選択されたＸ番目の駆動パターンＤＷを実行する前のランプ電圧Ｖｌａ１は、例えば、選択されたＸ番目の駆動パターンＤＷの１つ前に選択された（Ｘ−１）番目の駆動パターンＤＷが初期学習時間実行された後に検出されたランプ電圧Ｖｌａ２としてもよい。このように制御することで、ステップＳ１３におけるランプ電圧Ｖｌａ１の検出が不要となり、初期評価の処理をより簡略化できる。
【０１００】
図１１は、定常学習期間における制御部４０の制御手順の一例を示すフローチャートである。図１１では、定常学習期間における１サイクルを示している。定常学習期間において制御部４０は、図１１に示すような１サイクルを繰り返し実行する。図１１に示すように、制御部４０は、定常学習期間を開始した（ステップＳ２１）後、１番〜Ｎ番までの駆動パターンＤＷの中から、定常学習期間において選択されていない駆動パターンＤＷと比較的評価の高い駆動パターンＤＷとのうち一方の駆動パターンＤＷを選択する（ステップＳ２２〜Ｓ２４）。なお、制御部４０は、例えば、１番〜Ｎ番までの駆動パターンＤＷの中から駆動パターンＤＷをランダムで選択する。
【０１０１】
より具体的には、例えば、制御部４０は、１番〜Ｎ番までの駆動パターンＤＷの中から、定常学習期間において選択されていない駆動パターンＤＷと比較的評価の高い駆動パターンＤＷとのうち前者（定常学習期間において選択されていない駆動パターンＤＷ）を選択するか否かを判断し（ステップＳ２２）、比較的評価の高い駆動パターンＤＷを選択する場合（ステップＳ２２：ＮＯ）、１番〜Ｎ番までの駆動パターンＤＷの中から比較的評価の高い駆動パターンＤＷを選択する（ステップＳ２３）。制御部４０は、例えば、１番〜Ｎ番までの駆動パターンＤＷのうち、評価が最も高い駆動パターンＤＷ、すなわち、ランプ電圧Ｖｌａをランプ電圧Ｖｌａの目標数値範囲に最も近付ける駆動パターンＤＷを選択する。そして、制御部４０は、ステップＳ２３において選択された駆動パターンＤＷを実行する（ステップＳ２６）。
【０１０２】
一方で、制御部４０は、定常学習期間において選択されていない駆動パターンＤＷである前者を選択する場合（ステップＳ２２：ＹＥＳ）、１番〜Ｎ番までの駆動パターンＤＷの中から定常学習期間において選択されていない駆動パターンＤＷを選択する（ステップＳ２４）。そして、定常学習期間において選択されていない駆動パターンＤＷが選択された場合、制御部４０は、選択された駆動パターンＤＷが実行条件を満たすか否かを判断する（ステップＳ２５）。実行条件は、例えば、選択された駆動パターンＤＷが前回選択され実行された際に、後述するステップＳ２８において他の駆動パターンＤＷへ切り換えられていないことを含む。
【０１０３】
ステップＳ２４において選択された駆動パターンＤＷが実行条件を満たす場合（ステップＳ２５：ＹＥＳ）、ステップＳ２６に移行し、制御部４０は、選択された駆動パターンＤＷを実行する。一方、選択された駆動パターンＤＷが実行条件を満たさない場合（ステップＳ２５：ＮＯ）、ステップＳ２２に移行し、制御部４０は、１番〜Ｎ番までの駆動パターンＤＷの中から他の駆動パターンＤＷを選択し、上述したのと同様の判断を行う。
【０１０４】
次に、選択された駆動パターンＤＷの実行を開始した後、制御部４０は、現在選択されている駆動パターンＤＷの実行を開始してから定常学習時間が経過したか否かを判断する（ステップＳ２７）。ステップＳ２７において判断する定常学習時間は、例えば、初期学習期間におけるステップＳ１５で判断する初期学習時間と同じである。すなわち、定常学習時間の長さは、例えば、１０ｍｉｎ（分）以上、１２０ｍｉｎ（分）以下である。現在選択されている駆動パターンＤＷの実行が開始されてから定常学習時間が経過していない場合（ステップＳ２７：ＮＯ）、制御部４０は、現在の駆動パターンＤＷが切換条件（第１所定条件）を満たすか否かを判断する（ステップＳ２８）。
【０１０５】
切換条件は、例えば、第１切換条件と、第２切換条件とのいずれか１つを満たすことを含む。第１切換条件は、現在の駆動パターンＤＷの実行中に、定常学習時間内で検出されたランプ電圧Ｖｌａの変化（変動電圧値）の絶対値が第１所定値以上となり、かつ、検出されたランプ電圧Ｖｌａが目標数値範囲から外れることである。第２切換条件は、現在の駆動パターンＤＷの実行が開始してから経過した時間が第１時間以下の場合に、ランプ電圧Ｖｌａの変化の絶対値が第２所定値以上となることを含む。第１時間は、定常学習時間よりも小さく、例えば、５ｍｉｎ（分）である。第２所定値は、第１所定値よりも小さい。第１所定値は、例えば、５Ｖである。第２所定値は、例えば、３Ｖである。
【０１０６】
すなわち、第１時間以下においてはランプ電圧Ｖｌａの変化の絶対値が第１所定値よりも小さい第２所定値以上となった場合でも切換条件（第２切換条件）を満たすこととし、第１時間を超えた場合においてはランプ電圧Ｖｌａの変化が第２所定値よりも大きい第１所定値以上とならなければ切換条件（第１切換条件）を満たさないこととする。このような関係とすることで、制御部４０は、現在選択されている駆動パターンＤＷの実行時間とランプ電圧Ｖｌａとに基づいて、現在選択されている駆動パターンＤＷの切換を段階的に判断する。
【０１０７】
現在選択されている駆動パターンＤＷが切換条件を満たす場合（ステップＳ２８：ＹＥＳ）、制御部４０は、現在の放電灯９０の状態においては、現在選択されている駆動パターンＤＷが放電灯９０の寿命を向上させるために好ましくない駆動パターンＤＷであると判断する。そして、制御部４０は、現在選択されている駆動パターンＤＷの評価を下げる。
【０１０８】
その後、制御部４０は、上述したのと同様にして、ステップＳ２２〜ステップＳ２６を実行し、次の駆動パターンＤＷの選択・実行を行う。このように、制御部４０は、駆動パターンＤＷ実行時において、ランプ電圧Ｖｌａの変化が切換条件を満たす場合、現在選択されている駆動パターンＤＷから他の駆動パターンＤＷに切り換える。
【０１０９】
一方で、現在の駆動パターンＤＷが切換条件を満たさない場合（ステップＳ２８：ＮＯ）、制御部４０は、定常学習時間が経過するまで現在選択されている駆動パターンＤＷを実行する。そして、現在の駆動パターンＤＷの実行を開始してから定常学習時間が経過した場合（ステップＳ２７：ＹＥＳ）、動作検出部６０の電圧検出部は、放電灯９０のランプ電圧Ｖｌａを検出し（ステップＳ２９）、制御部４０は、検出されたランプ電圧Ｖｌａを記憶部４４に記憶する。その後、制御部４０は、現在選択されている駆動パターンＤＷを評価する（ステップＳ３０）。
【０１１０】
ステップＳ３０における駆動パターンＤＷの評価は、例えば、初期学習期間のステップＳ１７における駆動パターンＤＷの評価と同様である。すなわち、制御部４０は、選択された駆動パターンＤＷを定常学習時間実行した後のランプ電圧Ｖｌａの値と、選択された駆動パターンＤＷを実行する前のランプ電圧Ｖｌａに対する駆動パターンＤＷを定常学習時間実行した後のランプ電圧Ｖｌａの差と、に基づいて、駆動パターンＤＷを評価する。以下の説明においては、駆動パターンＤＷを実行する前のランプ電圧Ｖｌａに対する駆動パターンＤＷを定常学習時間実行した後のランプ電圧Ｖｌａの差を、第２変動電圧値と呼ぶ。
【０１１１】
ステップＳ３０において制御部４０は、定常学習期間において選択された駆動パターンＤＷの再評価を行う。すなわち、制御部４０は、各駆動パターンＤＷに対し、初期学習期間において行われた評価、および現時点よりも前の定常学習期間において行われた評価を更新する。
【０１１２】
続いて、制御部４０は、現在選択されている駆動パターンＤＷが連続実行条件（第２所定条件）を満たすか否か判断する（ステップＳ３１）。連続実行条件は、第１連続実行条件と、第２連続実行条件と、第３連続実行条件とのいずれか１つを満たすことを含む。第１連続実行条件、第２連続実行条件、および第３連続実行条件の各々は、連続実行回数が所定回数以下であることを含む。連続実行回数に関する所定回数は、例えば、２回以上、１５回以下である。
【０１１３】
そして、第１連続実行条件は、選択された駆動パターンＤＷを定常学習時間実行した後のランプ電圧Ｖｌａが目標数値範囲よりも大きく、かつ、第２変動電圧値が負の値であることである。第２連続実行条件は、選択された駆動パターンＤＷの実行前後でランプ電圧Ｖｌａが目標数値範囲内に含まれていることである。第３連続実行条件は、選択された駆動パターンＤＷを定常学習時間実行した後のランプ電圧Ｖｌａが目標数値範囲よりも小さく、かつ、第２変動電圧値が正の値であることである。
【０１１４】
現在の駆動パターンＤＷが連続実行条件を満たす場合（ステップＳ３１：ＹＥＳ）、制御部４０は、現在の放電灯９０の状態においては、現在選択されている駆動パターンＤＷが放電灯９０の寿命を向上させるために好ましい駆動パターンＤＷであると判断する。そして、制御部４０は、現在選択されている駆動パターンＤＷを、次に実行する駆動パターンＤＷとして再び選択する（ステップＳ３２）。そして、ステップＳ２６へ移行し、制御部４０は、今回実行する駆動パターンＤＷとして選択された前回の駆動パターンＤＷを連続して実行する。
【０１１５】
以上に説明したように、本実施形態において制御部４０は、選択された１つの駆動パターンＤＷを定常学習時間実行した前後のランプ電圧Ｖｌａの変化が連続実行条件を満たす場合、同じ駆動パターンＤＷを複数回連続して実行する。
【０１１６】
一方で、現在の駆動パターンＤＷが連続実行条件を満たさない場合（ステップＳ３１：ＮＯ）、制御部４０は、ステップＳ２２〜Ｓ２６において駆動パターンＤＷの選択および実行を所定回数実行したか否かを判断する（ステップＳ３３）。
【０１１７】
駆動パターンＤＷの選択および実行を所定回数実行していない場合（ステップＳ３３：ＮＯ）、ステップＳ２２へ移行して、再び駆動パターンＤＷの選択を行う。１サイクルの定常学習期間における駆動パターンＤＷの選択および実行に関する所定回数は、例えば、駆動パターンＤＷの個数Ｎよりも大きい。
【０１１８】
駆動パターンＤＷの選択および実行を所定回数実行した場合（ステップＳ３３：ＹＥＳ）、制御部４０は、定常学習期間の１サイクルを終了する（ステップＳ３４）。制御部４０は、以上のような１サイクルを繰り返して、定常学習期間を実行し続ける。次の１サイクルは、駆動パターンＤＷの選択および実行の回数がリセットされること以外は、定常学習期間の前回のサイクルから各パラメーターを引き継いだ状態で実行される。
【０１１９】
以上のようにして、制御部４０は、初期学習期間と定常学習期間とによって機械学習を行い、実行する駆動パターンＤＷを選択する。初期学習期間は、例えば、プロジェクター５００が初めて点灯された後に１回のみ行われる。定常学習期間は、例えば、初期学習期間が終了した後、プロジェクター５００が点灯している間、常時設けられる。例えば、プロジェクター５００の電源がＯＦＦにされた後、再びＯＮにされた際には、制御部４０は、前回電源がＯＦＦにされた際に実行していた期間を、中断されたところから再開する。
【０１２０】
制御部４０は、上述したようにして、機械学習に基づいて駆動パターンＤＷを切り換えつつ、放電灯９０の照度に関する照度情報に基づいて、放電灯９０の照度が目標照度となるように放電灯９０に供給される駆動電力Ｗｄを調整する。本実施形態において照度情報は、ランプ電圧Ｖｌａを含む。すなわち、本実施形態において制御部４０は、ランプ電圧Ｖｌａに基づいて、放電灯９０の照度が目標照度となるように駆動電力Ｗｄを調整する。
【０１２１】
以下の説明においては、目標照度を目標照度維持率ＬｒＴに置き換えて説明する場合がある。目標照度維持率ＬｒＴは、目標とする照度維持率Ｌｒであり、照度維持率Ｌｒは、初めて点灯した際の放電灯９０の照度に対する現在の放電灯９０の照度の割合である。
【０１２２】
本実施形態において制御部４０は、ランプ電圧Ｖｌａに応じて目標照度維持率ＬｒＴを変化させる。図１２は、本実施形態におけるランプ電圧Ｖｌａに対する目標照度維持率ＬｒＴの変化を示すグラフである。図１２において、縦軸は目標照度維持率ＬｒＴ［％］を示しており、横軸はランプ電圧Ｖｌａを示している。図１３は、本実施形態におけるランプ電圧Ｖｌａに対する駆動電力Ｗｄの変化を示すグラフである。図１３において、縦軸は駆動電力Ｗｄを示しており、横軸はランプ電圧Ｖｌａを示している。
【０１２３】
制御部４０は、図１２に示すように、ランプ電圧Ｖｌａが所定電圧値ＶｌａＰ以下の場合、目標照度維持率ＬｒＴを一定の値に維持する。図１２では、制御部４０は、ランプ電圧Ｖｌａが所定電圧値ＶｌａＰ以下の場合、目標照度維持率ＬｒＴを１００％に維持する。目標照度維持率ＬｒＴが一定に維持されるため、制御部４０は、ランプ電圧Ｖｌａが所定電圧値ＶｌａＰ以下の場合、ランプ電圧Ｖｌａによらず放電灯９０の照度（照度維持率Ｌｒ）が一定に維持されるように駆動電力Ｗｄを調整する。具体的には、制御部４０は、ランプ電圧Ｖｌａが所定電圧値ＶｌａＰ以下の場合に、放電灯９０に電流値が一定となる駆動電流Ｉを供給する定電流制御ＣＣＣを実行することで、放電灯９０の照度を一定に維持する。定電流制御ＣＣＣにおいて制御部４０は、ランプ電圧Ｖｌａが増加するのに伴って、駆動電力Ｗｄを増加させる。図１３に示すように、定電流制御ＣＣＣにおいて駆動電力Ｗｄは、ランプ電圧Ｖｌａの変化に対して線形に変化する。
【０１２４】
なお、本実施形態において、駆動電流Ｉの電流値が一定であるとは、電流値が所定電流範囲に維持されることを含む。所定電流範囲は、例えば、基準となる電流値に対して±１０％の電流値の範囲である。また、本実施形態において、ランプ電圧Ｖｌａが所定電圧値ＶｌａＰ以下の場合にランプ電圧Ｖｌａによらず放電灯９０の照度が一定に維持されるとは、所定電圧値ＶｌａＰ以下の範囲でランプ電圧Ｖｌａの値が変化した際に、結果的に放電灯９０の照度が一定に維持されればよく、放電灯９０の照度を一定に維持するために制御部４０がランプ電圧Ｖｌａの値の変化に基づいた制御を行ってもよい。すなわち、本実施形態において、ランプ電圧Ｖｌａが所定電圧値ＶｌａＰ以下の場合にランプ電圧Ｖｌａによらず放電灯９０の照度が一定に維持されるとは、制御部４０がランプ電圧Ｖｌａの値の変化に基づいて駆動電力Ｗｄを調整した結果として、ランプ電圧Ｖｌａの値によらず放電灯９０の照度が一定に維持されることを含む。具体的に、本実施形態では、制御部４０が定電流制御ＣＣＣにおいてランプ電圧Ｖｌａの増加に伴う駆動電力Ｗｄの増加を実行しており、その結果、放電灯９０の照度がランプ電圧Ｖｌａの値によらず一定に維持されている。
【０１２５】
所定電圧値ＶｌａＰは、例えば、放電灯９０の初期におけるランプ電圧Ｖｌａの値である。所定電圧値ＶｌａＰは、例えば、放電灯９０を初めて点灯させた際において放電灯９０の点灯が安定したときのランプ電圧Ｖｌａの値である。制御部４０は、放電灯９０を初めて点灯させた際において放電灯９０の点灯が安定したときに、ランプ電圧Ｖｌａの値を動作検出部６０の電圧検出部によって検出し、その検出された値を所定電圧値ＶｌａＰとして記憶部４４に格納する。所定電圧値ＶｌａＰは、例えば、６５Ｖ以上、７０Ｖ以下である。
【０１２６】
一方、制御部４０は、ランプ電圧Ｖｌａが所定電圧値ＶｌａＰよりも大きい場合、放電灯９０の照度に関する照度情報に基づいて、放電灯９０に供給される駆動電力Ｗｄを調整する。具体的には、制御部４０は、図１２および図１３に示すように、ランプ電圧Ｖｌａが所定電圧値ＶｌａＰよりも大きい場合、ランプ電圧Ｖｌａの増加量に対する駆動電力Ｗｄの変化量を変化させることで、ランプ電圧Ｖｌａの増加に応じて目標照度維持率ＬｒＴを低下させる。目標照度維持率ＬｒＴが低下するため、放電灯９０の照度維持率Ｌｒが目標照度維持率ＬｒＴに維持され続ける場合、放電灯９０の照度は低下する。すなわち、結果的に制御部４０は、ランプ電圧Ｖｌａが所定電圧値ＶｌａＰよりも大きい場合、ランプ電圧Ｖｌａの増加に応じて放電灯９０の照度を低下させる。
【０１２７】
ランプ電圧Ｖｌａが所定電圧値ＶｌａＰよりも大きい場合において、ランプ電圧Ｖｌａが１Ｖ増加するのに対して減少する目標照度維持率ＬｒＴの変化量は、１％以上、３％以下程度である。本実施形態では、ランプ電圧Ｖｌａが所定電圧値ＶｌａＰよりも大きい場合において、目標照度維持率ＬｒＴは、ランプ電圧Ｖｌａに対して線形に変化する。これにより、ランプ電圧Ｖｌａが所定電圧値ＶｌａＰよりも大きい場合において、ランプ電圧Ｖｌａが１Ｖ増加するのに対して減少する目標照度維持率ＬｒＴの変化量は、一定である。このように目標照度維持率ＬｒＴが変化するため、放電灯９０の照度維持率Ｌｒが目標照度維持率ＬｒＴに維持され続ける場合、ランプ電圧Ｖｌａが１Ｖ増加するごとに、一定の変化量で放電灯９０の照度が低下する。すなわち、制御部４０は、ランプ電圧Ｖｌａが所定電圧値ＶｌａＰよりも大きい場合、ランプ電圧Ｖｌａの増加量に対して所定の変化量で放電灯９０の照度を低下させる。
【０１２８】
ランプ電圧Ｖｌａが所定電圧値ＶｌａＰよりも大きい場合において、制御部４０は、放電灯９０が寿命を迎えるまで、ランプ電圧Ｖｌａの増加に応じて目標照度維持率ＬｒＴを低下させる。放電灯９０の寿命は、例えば、照度維持率Ｌｒが限界値Ｌｒｍｉｎに到達するまでの累積点灯時間に相当する。限界値Ｌｒｍｉｎは、放電灯９０の使用に耐える限界の照度維持率Ｌｒの値である。限界値Ｌｒｍｉｎは、例えば、５０％以上、９０％以下である。目標照度維持率ＬｒＴは、１００％から限界値Ｌｒｍｉｎまで、ランプ電圧Ｖｌａの増加に応じて線形に低下する。目標照度維持率ＬｒＴが限界値Ｌｒｍｉｎとなるときのランプ電圧Ｖｌａは、限界電圧値ＶｌａＺである。限界電圧値ＶｌａＺは、放電灯９０が寿命を迎えるまでの間におけるランプ電圧Ｖｌａの最大値である。
【０１２９】
以上のようにしてランプ電圧Ｖｌａの増加に応じて放電灯９０の照度（目標照度維持率ＬｒＴ）を低下させる場合、駆動電力Ｗｄは、図１３に示すように、例えば、ランプ電圧Ｖｌａの変化に対して曲線的に変化する。具体的に、ランプ電圧Ｖｌａが所定電圧値ＶｌａＰよりも大きい場合におけるランプ電圧Ｖｌａの増加量に対する駆動電力Ｗｄの変化量は、ランプ電圧Ｖｌａが所定電圧値ＶｌａＰ以下の場合におけるランプ電圧Ｖｌａの増加量に対する駆動電力Ｗｄの変化量（定電流制御ＣＣＣにおけるランプ電圧Ｖｌａの増加量に対する駆動電力Ｗｄの変化量）よりも小さい。さらに、ランプ電圧Ｖｌａに対する駆動電力Ｗｄの変化の傾き（変化量）は、ランプ電圧Ｖｌａが大きくなるほど小さくなる。
【０１３０】
なお、本実施形態において、所定電圧値ＶｌａＰは、定電流制御ＣＣＣにおいて駆動電力Ｗｄが放電灯９０の定格電力に到達する前のランプ電圧Ｖｌａの値であることが好ましい。すなわち、制御部４０は、定電流制御ＣＣＣにおいてランプ電圧Ｖｌａの増加に伴って駆動電力Ｗｄが増加して放電灯９０の定格電力に到達する前に、定電流制御ＣＣＣを終了して、ランプ電圧Ｖｌａの増加量に対する駆動電力Ｗｄの変化量を小さくする。
【０１３１】
また、本実施形態において放電灯９０の照度維持率Ｌｒは、図１２に示す目標照度維持率ＬｒＴと同様に変化するものとする。
【０１３２】
上述した制御を行う制御部４０を備える放電灯点灯装置１０は、放電灯駆動方法としても表現できる。すなわち、本実施形態の放電灯駆動方法の一つの態様は、第１電極９２および第２電極９３を有する放電灯９０に駆動電流Ｉを供給して、放電灯９０を駆動する放電灯駆動方法であって、機械学習に基づいて、駆動電流Ｉの複数の駆動パターンＤＷのうちいずれか１つの駆動パターンＤＷを選択し、選択された駆動パターンＤＷを実行し、放電灯９０のランプ電圧Ｖｌａが所定電圧値ＶｌａＰよりも大きい場合、放電灯９０の照度に関する照度情報に基づいて、放電灯９０に供給される駆動電力Ｗｄを調整することを特徴とする。
【０１３３】
例えば、従来においては、ランプ電圧Ｖｌａの値と駆動電力Ｗｄの値とに対応した駆動パターンＤＷが予め設定されていたため、ランプ電圧Ｖｌａおよび駆動電力Ｗｄが同じ値である場合には、実行される駆動パターンＤＷは、予め設定された１つの駆動パターンＤＷであった。
【０１３４】
これに対して、本実施形態では、機械学習によって駆動パターンＤＷが選択されるため、例えば、ランプ電圧Ｖｌａが所定の電圧値であり駆動電力Ｗｄが所定の電力値である場合、少なくとも１つの駆動パラメーターが互いに異なる複数の駆動パターンＤＷが実行される。すなわち、例えば、制御部４０、放電灯９０に供給される駆動電力Ｗｄが所定の電力帯であり、かつ、放電灯９０のランプ電圧Ｖｌａが所定の電圧値である場合に、少なくとも３つの駆動パターンＤＷを実行する。この少なくとも３つの駆動パターンＤＷは、１つの駆動パターンＤＷを構成する駆動における複数の駆動パラメーターのうちの少なくとも１つの駆動パラメーターの値が互いに異なる駆動パターンＤＷである。すなわち、ランプ電圧Ｖｌａを一定とし、かつ、駆動電力Ｗｄの電力帯を一定として放電灯９０に供給される駆動電流Ｉの駆動パターンＤＷを検出する場合、少なくとも３つ以上の異なる駆動パターンＤＷを検出可能である。なお、所定の電力帯とは、例えば、幅が１０Ｗ以内程度の駆動電力Ｗｄの数値範囲である。
【０１３５】
また、上述したように機械学習によって駆動パターンＤＷの選択・実行を行うと、放電灯９０のランプ電圧Ｖｌａが所定の電圧値である場合、放電灯９０の累積点灯時間あるいは放電灯９０の個体が異なることで、選択・実行される駆動パターンＤＷが異なる。すなわち、制御部４０は、放電灯９０のランプ電圧Ｖｌａが所定の電圧値である場合、放電灯９０の累積点灯時間および放電灯９０の個体のうちの少なくとも一方に応じて、少なくとも２つの駆動パターンＤＷ、例えば第１駆動パターンおよび第２駆動パターンを実行する。
【０１３６】
第１駆動パターンと第２駆動パターンとは、複数の駆動パターンＤＷのうちの任意の２つの駆動パターンＤＷである。第１駆動パターンと第２駆動パターンとは、各駆動パターンを構成する駆動における複数の駆動パラメーターのうち少なくとも１つの駆動パラメーターの値が互いに異なる。なお、累積点灯時間は、放電灯９０が点灯された時間の総計である。すなわち、累積点灯時間は、放電灯９０が初めて点灯したときから積算された放電灯９０の点灯時間である。
【０１３７】
具体的には、例えば、制御部４０は、ランプ電圧Ｖｌａが所定の電圧値であり、かつ、累積点灯時間が第１累積点灯時間である場合、第１駆動パターンを実行し、ランプ電圧Ｖｌａが所定の電圧値であり、かつ、累積点灯時間が第１累積点灯時間とは異なる第２累積点灯時間である場合、第２駆動パターンを実行する。すなわち、ランプ電圧Ｖｌａを一定として放電灯９０に供給される駆動電流Ｉの駆動パターンＤＷを検出する場合、放電灯９０の累積点灯時間が変わると、異なる駆動パターンＤＷを少なくとも２つ以上検出可能である。
【０１３８】
また、例えば、制御部４０は、ランプ電圧Ｖｌａが所定の電圧値であり、かつ、放電灯９０が第１個体である場合、第１駆動パターンを実行し、ランプ電圧Ｖｌａが所定の電圧値であり、かつ、放電灯９０が第１個体とは異なる第２個体である場合、第２駆動パターンを実行する。すなわち、ランプ電圧Ｖｌａを一定として放電灯９０に供給される駆動電流Ｉの駆動パターンＤＷを検出する場合、放電灯９０の個体が変わると、異なる駆動パターンＤＷを少なくとも２つ以上検出することが可能である。
【０１３９】
なお、複数の駆動パラメーターのうち少なくとも１つの駆動パラメーターの値が互いに異なるとは、例えば２つの駆動パターンＤＷの間で、各駆動パターンＤＷを構成する駆動が異なる場合を含む。より具体的には、例えば、第１駆動パターンが直流駆動で構成され、第２駆動パターンが直流駆動および交流駆動で構成され、かつ、第１駆動パターンにおける交流駆動に関する各駆動パラメーターと第２駆動パターンにおける交流駆動に関する各パラメーターとが同じである場合も、第１駆動パターンと第２駆動パターンとは、少なくとも１つの駆動パラメーターの値が互いに異なる駆動パターンＤＷとする。この場合、第２駆動パターンには直流駆動が含まれないため、第２駆動パターンにおける直流駆動に関する駆動パラメーターをゼロとみなす。これにより、この場合において第１駆動パターンと第２駆動パターンとは、直流駆動に関する駆動パラメーターが互いに異なる。
【０１４０】
本実施形態によれば、上述したようにして、制御部４０は、機械学習に基づいて、複数の駆動パターンＤＷのうちからいずれか１つの駆動パターンＤＷを選択して、選択した駆動パターンＤＷを実行する。そのため、放電灯９０に個体差がある場合であっても、機械学習を行うことで、放電灯９０の個体差に応じて、好適な駆動パターンＤＷを選択することができる。したがって、本実施形態によれば、放電灯９０の個体差によらず、放電灯９０の寿命を向上させることができる。
【０１４１】
また、放電灯９０に供給される駆動電力Ｗｄが変化すると、第１電極９２の突起５５２ｐの溶融度合い、および成長度合いが変化する。そのため、従来では、放電灯９０に供給される駆動電力Ｗｄごとに、ランプ電圧Ｖｌａに応じて、放電灯９０に供給される駆動電流Ｉの好適な駆動パターンＤＷを決め、記憶部４４に格納しておく必要があった。したがって、全ての駆動電力Ｗｄごとにランプ電圧Ｖｌａに応じた駆動パターンＤＷを設定しておくことは困難であり、予め決められた複数種類の駆動電力Ｗｄにしか、放電灯９０に供給される駆動電力Ｗｄを変更できない仕様となっていた。
【０１４２】
これに対して、本実施形態によれば、機械学習に基づいて駆動パターンＤＷが選択されるため、駆動電力Ｗｄを変化させた場合であっても、駆動電力Ｗｄの変化に応じて、好適な駆動パターンＤＷを選択することができる。これにより、放電灯９０に供給される駆動電力Ｗｄを容易に多段階で変化させることが可能となる。したがって、例えば、使用者が、駆動電力Ｗｄを任意に変化させて、プロジェクター５００から投射される映像の輝度を自由に変更することが可能となる。そのため、例えば、駆動電力Ｗｄを比較的小さくして、プロジェクター５００の消費電力を好適に抑えつつ、放電灯９０の寿命を向上させることも可能となる。
【０１４３】
また、駆動電力Ｗｄを任意に変更することが可能となるため、放電灯９０の寿命を向上させる際に変化させる駆動パターンＤＷの駆動パラメーターの一つとして、駆動電力Ｗｄを用いることも可能となる。これにより、放電灯９０の寿命をより向上させることができる。例えば、プロジェクター５００の筐体には、駆動電力Ｗｄを変化させるための操作部を設けてもよい。
【０１４４】
また、本実施形態によれば、制御部４０は、ランプ電圧Ｖｌａの変化に基づいて駆動パターンＤＷの選択を行う。そのため、ランプ電圧Ｖｌａを検出することで、駆動パターンＤＷの選択を行うことができ、機械学習を好適かつ容易に行うことができる。
【０１４５】
また、本実施形態によれば、制御部４０は、選択された駆動パターンＤＷの実行時において、検出されたランプ電圧Ｖｌａの変化が切換条件を満たす場合、選択された駆動パターンＤＷから他の駆動パターンＤＷに切り換える。そのため、選択された駆動パターンＤＷが、そのときの放電灯９０の状態に対して寿命を向上させるのに好ましくない駆動パターンＤＷである場合に、駆動パターンＤＷを他の好適な駆動パターンＤＷへ切り換えられる。したがって、放電灯９０の寿命が低下することを抑制できる。
【０１４６】
また、上述したように、切換条件を満たした駆動パターンＤＷは、評価を下げられ、かつ、ステップＳ２４において次に当該切換条件を満たした駆動パターンＤＷが選択され、ステップＳ２５において当該切換条件を満たした駆動パターンＤＷが実行条件を満たすか判断される際に、実行条件を満たさないと判断される。すなわち、制御部４０は、所定期間の間、当該切換条件を満たした駆動パターンＤＷを実行しない。そのため、本実施形態によれば、放電灯９０の寿命を低下させる可能性が高い駆動パターンＤＷが実行されることを抑制でき、放電灯９０の寿命をより向上させることができる。
【０１４７】
上述したように制御部４０は、選択された駆動パターンＤＷの実行を開始してから定常学習時間が経過した場合に、次の駆動パターンＤＷを選択するため、駆動パターンＤＷの実行時間の長さは基本的には、定常学習時間の長さと同じになる。しかし、定常学習期間において選択された駆動パターンＤＷは、放電灯９０の状態によって、定常学習時間が経過する前に途中で他の駆動パターンＤＷへ切り換えられることがあるため、同じ駆動パターンＤＷであっても、１つの駆動パターンＤＷの実行を開始してから次の駆動パターンＤＷに切り換えられるまでの、選択された１つの駆動パターンＤＷの実行時間が変化する場合がある。
【０１４８】
すなわち、制御部４０は、ランプ電圧Ｖｌａに基づいて、複数の駆動パターンＤＷのうちの所定の駆動パターンＤＷが実行される実行時間の長さを変化させる。そのため、ランプ電圧Ｖｌａの変化に応じて、適宜駆動パターンＤＷを切り換えることができ、放電灯９０の寿命をより向上できる。
【０１４９】
また、複数の駆動パターンＤＷのうちの所定の駆動パターンＤＷが実行される実行時間の長さは、上述したようにして変化するため、放電灯９０の累積点灯時間に応じて変化する。また、複数の駆動パターンＤＷのうちの所定の駆動パターンが実行される実行時間の長さは、上述したようにして変化するため、放電灯９０の個体に応じて変化する。選択された駆動パターンＤＷが途中で他の駆動パターンＤＷへ切り換えられた場合、当該選択された駆動パターンＤＷの実行時間は、定常学習時間よりも短い。
【０１５０】
また、例えば、評価が最も高い駆動パターンＤＷ、すなわち、放電灯９０のランプ電圧Ｖｌａを目標数値範囲に最も近付ける駆動パターンＤＷであっても、常に同じ駆動パターンＤＷを実行する場合には、第１電極９２の突起５５２ｐが成長しにくくなる場合があり、放電灯９０の寿命を十分に向上させにくくなる場合がある。また、例えば、放電灯９０の第１電極９２の突起５５２ｐの溶融度合いおよび成長度合いは、放電灯９０の劣化、すなわち累積点灯時間の増加に伴って変化する。そのため、ある時点において放電灯９０の寿命を向上させるために好適な駆動パターンＤＷであっても、別の時点において放電灯９０の寿命を向上させるために不適な駆動パターンＤＷとなることがある。
【０１５１】
これに対して、本実施形態によれば、制御部４０は、定常学習期間の１サイクルにおいて、Ｎ個の駆動パターンＤＷの中から選択されていない駆動パターンＤＷおよび比較的評価の高い駆動パターンＤＷのうち一方を選択・実行する。そのため、１サイクル内において、評価の最も高い駆動パターンＤＷを含む比較的評価の高い駆動パターンＤＷと、それ以外の駆動パターンＤＷと、の両方が実行される。すなわち、本実施形態の制御部４０は、一定の期間内において、複数の駆動パターンＤＷのうち評価の最も高い駆動パターンＤＷを含む比較的評価の高い駆動パターンＤＷ（以下、高評価駆動パターンＤＷｍと呼ぶ）と、複数の駆動パターンＤＷのうち高評価駆動パターンＤＷｍよりも評価の低い駆動パターンＤＷ（以下、他の駆動パターンＤＷｅと呼ぶ）と、の両方を実行する。これにより、評価の高い高評価駆動パターンＤＷｍの間に、高評価駆動パターンＤＷｍよりも評価が低い他の駆動パターンＤＷｅを実行することができ、第１電極９２に対して加えられる熱負荷の刺激を大きく変動させやすい。したがって、突起５５２ｐを成長させやすく、放電灯９０の寿命をより向上させやすい。
【０１５２】
また、本実施形態によれば、制御部４０は、選択された駆動パターンＤＷが実行された前後のランプ電圧Ｖｌａの変化が連続実行条件を満たす場合、当該選択された駆動パターンＤＷを複数回、連続して実行する。ここで、本実施形態は、ランプ電圧Ｖｌａが所定の電圧値であり駆動電力Ｗｄが所定の電力値である場合、少なくとも１つの駆動パラメーターが互いに異なる複数の駆動パターンＤＷが実行される構成である。すなわち、本実施形態は、１つの条件下で２つ以上の駆動パターンＤＷのうち１つが選択され実行されるというランダム性を有する一方で、選択された駆動パターンＤＷが連続実行条件を満たした場合には、１つの同じ駆動パターンが連続して実行されることになる特性も有する。そのため、放電灯９０の寿命を向上させるのに好適な駆動パターンＤＷを複数回、連続して実行することができ、放電灯９０の寿命をより向上させやすい。また、本実施形態において連続実行条件は、連続実行回数が所定回数以下であることを含む。そのため、放電灯９０の状態が大きく変化しない程度の実行時間で、好適な駆動パターンＤＷを複数回、連続して実行することができる。したがって、放電灯９０の寿命をより向上させやすい。
【０１５３】
また、本実施形態によれば、制御部４０は、ステップＳ２５で示したように実行条件を満たすか否かの判断を行い、実行条件を満たさない場合には、その駆動パターンＤＷを実行しない。これにより、評価が比較的低い駆動パターンＤＷが実行されにくい。したがって、放電灯９０の寿命をより向上させやすい。
【０１５４】
以上のような機械学習に基づいて駆動パターンＤＷが選択・実行されるため、本実施形態においては、ランプ電圧Ｖｌａによらず、各駆動パターンＤＷが実行される確率は互いに異なる。すなわち、放電灯９０のランプ電圧Ｖｌａが所定の電圧値である場合、第１駆動パターンが実行される確率と、第２駆動パターンが実行される確率と、は互いに異なる。
【０１５５】
また、少なくとも第１駆動パターンおよび第２駆動パターンがそれぞれ１回以上実行される実行期間において、実行期間の長さに対する第１駆動パターンが実行される実行時間の割合と、実行期間の長さに対する第２駆動パターンが実行される実行時間の割合と、は互いに異なる。実行期間とは、例えば、定常学習期間の１サイクルに相当する。
【０１５６】
また、少なくとも第１駆動パターンおよび第２駆動パターンがそれぞれ１回以上実行される実行期間、すなわち例えば定常学習期間の１サイクルにおいて、第１駆動パターンが実行される回数と、前記第２駆動パターンが実行される回数と、は互いに異なる。第１駆動パターンを、評価の最も高い駆動パターンＤＷを含む高評価駆動パターンＤＷｍとし、第２駆動パターンを、他の駆動パターンＤＷｅのうちの１つの駆動パターンＤＷとする場合、第１駆動パターンが実行される回数は、第２駆動パターンが実行される回数よりも多い。
【０１５７】
また、例えば、選択される複数の駆動パターンＤＷの個数（Ｎ）が少なすぎると、放電灯９０の状態に応じた好適な駆動パターンＤＷが含まれていない場合がある。一方、駆動パターンＤＷの個数が多すぎると、初期学習期間に時間が掛かり、好適な駆動パターンＤＷを選択するまでに時間が掛かる。また、定常学習期間において好適な駆動パターンＤＷ以外の実行する割合が大きくなる。
【０１５８】
これに対して、駆動パターンＤＷの個数を１０パターン以上、１００パターン以下とすれば、放電灯９０の状態に応じた好適な駆動パターンＤＷを選択しやすく、初期学習期間の時間も短くできる。また、定常学習期間において好適な駆動パターンＤＷの割合を大きくできるため、より放電灯９０の寿命を向上できる。また、駆動パターンＤＷの個数を２０パターン以上、３０パターン以下とすれば、これらの効果をより高く得られる。
【０１５９】
また、例えば、駆動電力Ｗｄを一定に維持し続ける場合、放電灯９０の累積点灯時間が増加するのに従って、照度維持率Ｌｒは低下する。これは、以下の理由による。累積点灯時間が増加すると、ランプ電圧Ｖｌａが増加する。そのため、駆動電力Ｗｄが一定の場合、放電灯９０に供給される駆動電流Ｉが減少する。これにより、アーク放電によるプラズマ密度が低下し、放電灯９０の照度が低下する。したがって、累積点灯時間が増加するのに従って、照度維持率Ｌｒが低下する。そのため、放電灯９０の初期の照度維持率Ｌｒが維持される期間が短く、放電灯９０の照度維持率Ｌｒが比較的低い状態で使用する期間が比較的長くなりやすい。また、放電灯９０を使用する使用者に、放電灯９０の使用を継続することに伴って、放電灯９０の照度（明るさ）が低下することを認識させてしまう。これにより、使用者の快適性を十分に向上できない場合があった。具体的には、本実施形態のように放電灯９０がプロジェクター５００に搭載される場合、プロジェクター５００から投射される画像の輝度が比較的低い状態で使用する期間が長くなりやすい。
【０１６０】
これに対して、本実施形態によれば、制御部４０は、ランプ電圧Ｖｌａが所定電圧値ＶｌａＰよりも大きい場合、放電灯９０の照度に関する照度情報に基づいて、放電灯９０に供給される駆動電力Ｗｄを調整する。そのため、ランプ電圧Ｖｌａが増加した場合に、駆動電力Ｗｄを増加させることで、放電灯９０の照度が低下することを抑制できる。これにより、放電灯９０の照度維持率Ｌｒが比較的高い状態で使用される期間を長くしやすく、使用者の快適性を向上できる。
【０１６１】
また、駆動電力Ｗｄを一定に維持し続ける場合において、ランプ電圧Ｖｌａが増加すると、放電灯９０に供給される駆動電流Ｉが減少するため、第１電極９２および第２電極９３に加えられる熱負荷が低下し、突起５５２ｐ，５６２ｐが成長しにくくなる場合がある。これに対して、本実施形態によれば、放電灯９０の照度に応じて駆動電力Ｗｄを調整できるため、駆動電流Ｉの値を維持でき、第１電極９２および第２電極９３に加えられる熱負荷が低下することを抑制できる。したがって、第１電極９２および第２電極９３に十分な熱負荷を加えやすく、突起５５２ｐ，５６２ｐを成長させやすい。その結果、放電灯９０の寿命を向上させることができる。また、上述したように、このようにランプ電圧Ｖｌａの変動に基づいて駆動電力Ｗｄを変化させても、機械学習を用いることで、放電灯９０の寿命が低下することを抑制できる。
【０１６２】
また、例えば、駆動電力Ｗｄを調整して放電灯９０の照度を初期の照度に維持し続ける場合、すなわち放電灯９０の目標照度維持率ＬｒＴを１００％に維持し続ける場合、ランプ電圧Ｖｌａが増加するほど駆動電力Ｗｄが大きくなり続け、放電灯９０への負荷が過大になる場合がある。そのため、放電灯９０の寿命が低下する場合があった。
【０１６３】
これに対して、本実施形態によれば、制御部４０は、ランプ電圧Ｖｌａが所定電圧値ＶｌａＰよりも大きい場合、ランプ電圧Ｖｌａの増加に応じて目標照度維持率ＬｒＴを低下させる。そのため、結果として、制御部４０は、ランプ電圧Ｖｌａが所定電圧値ＶｌａＰよりも大きい場合、ランプ電圧Ｖｌａの増加に応じて放電灯９０の照度を低下させる。これにより、ランプ電圧Ｖｌａが所定電圧値ＶｌａＰよりも大きい場合において、放電灯９０に供給される駆動電力Ｗｄは、照度維持率Ｌｒを所定電圧値ＶｌａＰ以下の場合と同じ目標照度維持率ＬｒＴ（例えば、１００％）に調整する場合に比べて、小さくなる。
【０１６４】
例えば、図１３において二点鎖線で示す直線は、ランプ電圧Ｖｌａが所定電圧値ＶｌａＰよりも大きくなる場合において、定電流制御ＣＣＣを行った場合の駆動電力Ｗｄの変化を示す。図１３において実線で示すように、本実施形態によれば、ランプ電圧Ｖｌａが所定電圧値ＶｌａＰよりも大きくなる場合において、定電流制御ＣＣＣを行うよりも、駆動電力Ｗｄの値を小さくできる。
【０１６５】
以上のように、本実施形態によれば、ランプ電圧Ｖｌａが所定電圧値ＶｌａＰよりも大きい場合に駆動電力Ｗｄを小さくできるため、放電灯９０への負荷が過大になりにくく、放電灯９０の寿命が低下することを抑制できる。その結果、比較的長期間、放電灯９０の照度を比較的大きい値に維持できる放電灯９０が実現される。
【０１６６】
また、ランプ電圧Ｖｌａの増加量に対する放電灯９０の照度の減少量を十分に小さくすることで、放電灯９０の照度の変化を使用者に気づかせにくい。これにより、使用者の快適性が低下することを抑制できる。具体的には、ランプ電圧Ｖｌａが１Ｖ増加した場合の放電灯９０の照度維持率Ｌｒの減少量を３％以下とすることで、放電灯９０の照度の変化を好適に使用者に気づかせにくい。
【０１６７】
また、駆動電力Ｗｄの値が小さくなって放電灯９０への負荷が小さくなることで、第１電極９２および第２電極９３の突起５５２ｐ，５６２ｐが成長しやすくなり、ランプ電圧Ｖｌａが低下しやすい。その結果、ランプ電圧Ｖｌａは、所定電圧値ＶｌａＰを超えた後に再び所定電圧値ＶｌａＰ以下となる挙動を繰り返し、所定電圧値ＶｌａＰの近傍に維持される。これにより、ランプ電圧Ｖｌａが増加することを抑制でき、駆動電力Ｗｄを比較的小さく抑えた上で、放電灯９０の照度を維持できる。したがって、放電灯９０の寿命を向上できる。
【０１６８】
また、本実施形態によれば、制御部４０は、ランプ電圧Ｖｌａが所定電圧値ＶｌａＰよりも大きい場合、ランプ電圧Ｖｌａの増加量に対して所定の変化量で目標照度維持率ＬｒＴを低下させる。そのため、結果として、制御部４０は、ランプ電圧Ｖｌａが所定電圧値ＶｌａＰよりも大きい場合、ランプ電圧Ｖｌａの増加量に対して所定の変化量で放電灯９０の照度を低下させる。これにより、ランプ電圧Ｖｌａが増加し続ける場合に、一定の度合いで放電灯９０の照度を徐々に低下させることができる。したがって、使用者がより放電灯９０の照度の変化に気づきにくく、使用者の快適性が低下することをより抑制できる。
【０１６９】
また、本実施形態によれば、制御部４０は、ランプ電圧Ｖｌａが所定電圧値ＶｌａＰ以下の場合、ランプ電圧Ｖｌａによらず放電灯９０の照度が一定に維持されるように駆動電力Ｗｄを調整する。そのため、使用者の快適性をより向上できる。また、ランプ電圧Ｖｌａが所定電圧値ＶｌａＰ以下の場合には、駆動電力Ｗｄの値が比較的小さい範囲で、放電灯９０の照度を維持できる。これにより、放電灯９０への負荷を比較的小さくしつつ、放電灯９０の照度を維持できる。したがって、放電灯９０の寿命が低下することをより抑制できる。
【０１７０】
また、本実施形態によれば、機械学習を用いて、ランプ電圧Ｖｌａを好適な値、例えば所定電圧値ＶｌａＰの近傍の値に維持しやすいため、照度維持率Ｌｒがほぼ１００％に維持されている期間を長くすることができ、使用者の快適性をより向上できる。
【０１７１】
また、本実施形態によれば、制御部４０は、ランプ電圧Ｖｌａが所定電圧値ＶｌａＰ以下の場合、放電灯９０に電流値が一定となる駆動電流Ｉを供給する。これにより、放電灯９０の照度を一定に維持することができる。
【０１７２】
なお、本実施形態においては、下記の構成および方法を採用することもできる。
【０１７３】
制御部４０は、機械学習に基づいて駆動パターンＤＷを選択・実行するならば、機械学習の方法は、特に限定されない。上述した駆動パターンＤＷの評価方法は、特に限定されない。初期学習時間と定常学習時間は、互いに異なってもよい。
【０１７４】
また、制御部４０は、ランプ電圧Ｖｌａが第３所定値以上低下した場合、駆動パターンＤＷを前回実行された駆動パターンＤＷに切り換えてもよい。より具体的には、例えば、選択された１つの駆動パターンＤＷが実行されている際に、制御部４０は、定常学習時間内に検出されたランプ電圧Ｖｌａに基づき、ランプ電圧Ｖｌａが第３所定値以上低下しているか否かを判断し、ランプ電圧Ｖｌａが第３所定値以上低下している場合には、前回実行した駆動パターンＤＷに切り換える。この構成によれば、例えば、突起５５２ｐが移動してランプ電圧Ｖｌａが急激に低下した場合に、突起５５２ｐが移動する前の駆動パターンＤＷに切り換えることができる。これにより、突起５５２ｐの位置を移動する前の位置に修正しやすい。また、制御部４０は、ランプ電圧Ｖｌａが第３所定値以上低下した場合、駆動パターンＤＷを前回実行された駆動パターンＤＷとは異なる駆動パターンＤＷに切り換えてもよい。
【０１７５】
また、制御部４０は、ランプ電圧Ｖｌａに基づいて、定常学習時間の長さを変化させてもよい。例えば、放電灯９０が劣化すると、駆動パターンＤＷによるランプ電圧Ｖｌａの変化が発生するまでの時間が長くなる場合がある。この場合、駆動パターンＤＷの実行時間が短いと、駆動パターンＤＷを適正に評価できない場合がある。これに対して、ランプ電圧Ｖｌａに基づいて、定常学習時間の長さを変化させることで、放電灯９０が劣化した場合に定常学習時間を長くして、駆動パターンＤＷの実行時間を長くすることができる。したがって、駆動パターンＤＷを適正に評価しやすく、結果として放電灯９０の寿命を向上できる。
【０１７６】
また、制御部４０は、ランプ電圧Ｖｌａに基づいて、駆動パターンＤＷの個数を変化させてもよいし、駆動パターンＤＷの各駆動における駆動パラメーターの種類を変化させてもよい。これらの場合、制御部４０は、ランプ電圧Ｖｌａに基づいて、複数の駆動パターンＤＷにおいて互いに異なる駆動パラメーターの種類の数を変化させてもよい。例えば、制御部４０は、ランプ電圧Ｖｌａが第１電圧よりも大きい場合に、複数の駆動パターンＤＷにおいて互いに異なる駆動パラメーターの種類の数を多くしてもよい。この構成によれば、放電灯９０が劣化した場合に、第１電極９２に加えられる熱負荷の変化による刺激を大きくしやすく、放電灯９０の寿命をより向上させることができる。
【０１７７】
また、制御部４０は、直前までのランプ電圧Ｖｌａの変化に基づいて、駆動パターンＤＷを選択してもよい。また、制御部４０は、定常学習期間の１サイクルにおいて必ず１回ずつ以上、全ての駆動パターンＤＷが実行されるようにしてもよい。また、制御部４０は、予め設定された複数の駆動パターンＤＷ以外の駆動パターンＤＷを定常学習期間中に作り出してもよい。この場合、制御部４０は、予め設定されている各駆動パターンＤＷの評価値に基づいて、駆動パラメーターを組み合わせて新たな駆動パターンＤＷを作ってもよい。
【０１７８】
また、制御部４０は、初期学習期間でのステップＳ１５において、定常学習期間でのステップＳ２８のように、現在選択されている駆動パターンＤＷが切換条件を満たすか否かを判断してもよい。例えば、現在選択されている駆動パターンＤＷが切換条件を満たす場合、制御部４０は、現在選択されている駆動パターンＤＷの評価を下げ、現在選択されている駆動パターンＤＷから他の駆動パターンＤＷへ切り換えてもよい。一方で、現在選択されている駆動パターンＤＷが切換条件を満たさない場合、制御部４０は、初期学習時間が経過するまで現在選択されている駆動パターンＤＷを実行してもよい。なお、この場合の切換条件は、ステップＳ２８における切換条件と同じでもよいし、異なっていてもよい。
【０１７９】
また、駆動パターンＤＷの駆動電流波形は、特に限定されない。例えば、駆動パターンＤＷの駆動電流波形は、図１４Ａ、図１４Ｂおよび図１５に示す駆動電流波形を含んでもよい。図１４Ａ、図１４Ｂおよび図１５は、交流駆動において放電灯９０に供給される駆動電流波形の他の一例を示す図である。図１４Ａ、図１４Ｂおよび図１５において、縦軸は駆動電流Ｉを示しており、横軸は時間Ｔを示している。駆動電流Ｉは、第１極性状態である場合を正とし、第２極性状態となる場合を負として示している。
【０１８０】
図１４Ａおよび図１４Ｂに示す交流駆動は、デューティー比が０．５（５０％）よりも小さい片寄駆動である。図１４Ａおよび図１４Ｂに示す片寄駆動において放電灯９０に供給される駆動電流Ｉは、例えば、電流値Ｉｍと電流値−Ｉｍとの間で極性が複数回反転される矩形波交流電流である。
【０１８１】
図１４Ａに示す片寄駆動において、周期Ｃ２の長さは、一定である。周期Ｃ２においては、第１極性状態となる第１極性期間Ｃ２１と、第２極性状態となる第２極性期間Ｃ２２と、が設けられる。第１極性期間Ｃ２１の長さは、第２極性期間Ｃ２２の長さよりも小さい。すなわち、図１４Ａに示す片寄駆動は、駆動パラメーターとして、周期数、周期Ｃ２の長さ、デューティー比、第１極性期間Ｃ２１の長さ、および第２極性期間Ｃ２２の長さを有する。
【０１８２】
図１４Ｂに示す片寄駆動において、周期の長さは、変化する。図１４Ｂの例では、第１周期Ｃ３と、第２周期Ｃ４と、第３周期Ｃ５と、が設けられる。第１周期Ｃ３の長さは、第２周期Ｃ４の長さよりも大きい。第３周期Ｃ５の長さは、第１周期Ｃ３の長さよりも大きい。
【０１８３】
第１周期Ｃ３においては、第１極性状態となる第１極性期間Ｃ３１と、第２極性状態となる第２極性期間Ｃ３２と、が設けられる。第２極性期間Ｃ３２の長さは、第１極性期間Ｃ３１の長さよりも小さい。第２周期Ｃ４においては、第１極性状態となる第１極性期間Ｃ４１と、第２極性状態となる第２極性期間Ｃ４２と、が設けられる。第２極性期間Ｃ４２の長さは、第１極性期間Ｃ４１の長さよりも小さい。第３周期Ｃ５においては、第１極性状態となる第１極性期間Ｃ５１と、第２極性状態となる第２極性期間Ｃ５２と、が設けられる。第２極性期間Ｃ５２の長さは、第１極性期間Ｃ５１の長さよりも小さい。
【０１８４】
第１極性期間Ｃ３１の長さは、第１極性期間Ｃ５１の長さよりも大きい。第１極性期間Ｃ４１の長さは、第１極性期間Ｃ３１の長さよりも大きい。第２極性期間Ｃ３２の長さと第２極性期間Ｃ４２の長さと第２極性期間Ｃ５２の長さとは、互いに同じである。第１極性期間Ｃ３１，Ｃ４１，Ｃ５１の長さは、例えば、５．０ｍｓ（ミリ秒）以上、２０ｍｓ（ミリ秒）以下である。第２極性期間Ｃ３２，Ｃ４２，Ｃ５２の長さは、０．５ｍｓ（ミリ秒）よりも小さい。
【０１８５】
すなわち、図１４Ｂに示す片寄駆動は、駆動パラメーターとして、図１４Ａの片寄駆動と同様に、周期数、各周期の長さ、各デューティー比、各第１極性期間の長さ、および各第２極性期間の長さを有する。
【０１８６】
図１５に示す交流駆動は、各極性状態において駆動電流Ｉの絶対値が大きくなる跳上駆動である。図１５に示す跳上駆動において放電灯９０に供給される駆動電流Ｉは、例えば、電流値がＩｍ１，Ｉｍ２，−Ｉｍ１，−Ｉｍ２の間で変化する矩形波交流電流である。Ｉｍ２および−Ｉｍ２の絶対値は、Ｉｍ１および−Ｉｍ１の絶対値よりも大きい。図１５に示す跳上駆動において、周期Ｃ６の長さは、一定である。図１５に示す交流電流のデューティー比は、０．５（５０％）である。
【０１８７】
周期Ｃ６においては、第１極性状態となる第１極性期間Ｃ６１と、第２極性状態となる第２極性期間Ｃ６２と、が設けられる。第１極性期間Ｃ６１の長さと第２極性期間Ｃ６２の長さとは、互いに同じである。第１極性期間Ｃ６１は、低電流期間Ｃ６１ａと、高電流期間Ｃ６１ｂと、を含む。低電流期間Ｃ６１ａは、駆動電流Ｉが電流値Ｉｍ１となる期間である。高電流期間Ｃ６１ｂは、駆動電流Ｉが電流値Ｉｍ２となる期間である。高電流期間Ｃ６１ｂの長さは、低電流期間Ｃ６１ａの長さよりも小さい。
【０１８８】
第２極性期間Ｃ６２は、低電流期間Ｃ６２ａと、高電流期間Ｃ６２ｂと、を含む。低電流期間Ｃ６２ａは、駆動電流Ｉが電流値−Ｉｍ１となる期間である。高電流期間Ｃ６２ｂは、駆動電流Ｉが電流値−Ｉｍ２となる期間である。高電流期間Ｃ６２ｂの長さは、低電流期間Ｃ６２ａの長さよりも小さい。低電流期間Ｃ６１ａの長さと低電流期間Ｃ６２ａの長さとは、互いに同じである。高電流期間Ｃ６１ｂの長さと高電流期間Ｃ６２ｂの長さとは、互いに同じである。
【０１８９】
すなわち、図１５に示す跳上駆動は、駆動パラメーターとして、周期数、周期Ｃ６の長さ、電流値Ｉｍ１および−Ｉｍ１の絶対値、電流値Ｉｍ２および−Ｉｍ２の絶対値、第１極性期間Ｃ６１の長さ、第２極性期間Ｃ６２の長さ、第１極性期間Ｃ６１における低電流期間Ｃ６１ａの長さおよび高電流期間Ｃ６１ｂの長さ、第２極性期間Ｃ６２における低電流期間Ｃ６２ａの長さおよび高電流期間Ｃ６２ｂの長さ、第１極性期間Ｃ６１における低電流期間Ｃ６１ａまたは高電流期間Ｃ６１ｂの割合、第２極性期間Ｃ６２における低電流期間Ｃ６２ａまたは高電流期間Ｃ６２ｂの割合、電流値Ｉｍ１および−Ｉｍ１の絶対値に対する電流値Ｉｍ２および−Ｉｍ２の絶対値の割合等を有する。
【０１９０】
なお、上記の説明においては、図１４Ａ、図１４Ｂおよび図１５に示す駆動を交流駆動の一例として説明したが、これに限られない。例えば、図１４Ａ、図１４Ｂおよび図１５に示す駆動を、直流駆動の一例としてみなしてもよい。この場合、直流駆動の極性、および直流駆動の実行時間の長さが適宜変化することで、各図に示す駆動電流波形が作られる。
【０１９１】
また、放電灯点灯装置１０は、放電灯９０から射出される光の照度を計測する照度センサーを備え、放電灯９０の照度に関する照度情報は、照度センサーによって計測された値を含んでもよい。この場合、制御部４０は、照度センサーによって計測された値が目標とする照度となるように、駆動電力Ｗｄを調整する。この構成によれば、より直接的に放電灯９０の照度を計測できるため、より精度よく放電灯９０の照度を目標値に調整することができる。
【０１９２】
また、本実施形態の制御部４０における駆動電力Ｗｄの調整は、ランプ電圧Ｖｌａが所定電圧値ＶｌａＰよりも大きい場合に、放電灯９０の照度に関する照度情報に基づいて調整されるならば、特に限定されない。制御部４０は、例えば、ランプ電圧Ｖｌａが所定電圧値ＶｌａＰ以下の場合に、駆動電力Ｗｄを一定に維持してもよい。また、ランプ電圧Ｖｌａが所定電圧値ＶｌａＰよりも大きい場合において、ランプ電圧Ｖｌａの増加量に対する放電灯９０の照度の減少量は、ランプ電圧Ｖｌａに応じて変化してもよい。また、例えば、ランプ電圧Ｖｌａが所定電圧値ＶｌａＰよりも大きい場合において、放電灯９０の照度（目標照度維持率ＬｒＴ）は、ランプ電圧Ｖｌａの所定の範囲ごとに、段階的に変化してもよい。
【０１９３】
また、所定電圧値ＶｌａＰは、特に限定されず、初期におけるランプ電圧Ｖｌａでなくてもよい。また、所定電圧値ＶｌａＰを初期におけるランプ電圧Ｖｌａとする場合において、所定電圧値ＶｌａＰは、例えば、放電灯９０の個体差によらず予め設定された値であってもよい。
【０１９４】
また、目標照度維持率ＬｒＴの変化と照度維持率Ｌｒの変化とは、一致しなくてもよい。例えば、目標照度維持率ＬｒＴが１００％に維持されている場合に、照度維持率Ｌｒは１００％の近傍で変動してもよい。
【０１９５】
また、放電灯９０の照度に関する照度情報は、放電灯９０の照度に関する事項であれば、特に限定されない。照度情報は、例えば、放電灯９０の温度を含んでもよい。この場合、放電灯点灯装置１０は、放電灯９０の温度を計測する温度センサーを備えてもよい。
【０１９６】
また、上記実施形態において、透過型のプロジェクターに本発明を適用した場合の例について説明したが、本発明は、反射型のプロジェクターにも適用することも可能である。ここで、「透過型」とは、液晶パネル等を含む液晶ライトバルブが光を透過するタイプであることを意味する。「反射型」とは、液晶ライトバルブが光を反射するタイプであることを意味する。なお、光変調装置は、液晶パネル等に限られず、例えばマイクロミラーを用いた光変調装置であってもよい。
【０１９７】
また、上記実施形態において、３つの液晶パネル５６０Ｒ，５６０Ｇ，５６０Ｂ（液晶ライトバルブ３３０Ｒ，３３０Ｇ，３３０Ｂ）を用いたプロジェクター５００の例を挙げたが、本発明は、１つの液晶パネルのみを用いたプロジェクター、４つ以上の液晶パネルを用いたプロジェクターにも適用可能である。
【０１９８】
また、上記説明した各構成は、相互に矛盾しない範囲内において、適宜組み合わせることができる。
【実施例】
【０１９９】
実施例１，２と比較例とを比べて本発明の有用性について確認した。実施例１，２および比較例において、複数の駆動パターンＤＷは、図９に示される駆動電流波形を有する駆動パターンＤＷに基づくものとした。また、複数の駆動パターンＤＷにおける交流駆動および直流駆動の各駆動パラメーターは、第１周波数ｆ１および第２周波数ｆ２と、交流駆動の実行時間の長さｔａ１，ｔａ２と、直流駆動の実行時間の長さｔｄ１，ｔｄ２と、の３種類とした。さらに、駆動パラメーターの種類ごとの数値として、第１周波数ｆ１および第２周波数ｆ２を、２００Ｈｚ、３００Ｈｚ、４００Ｈｚのうちから選び、交流駆動の実行時間の長さｔａ１，ｔａ２を、０．１ｍｓ（ミリ秒）、０．２ｍｓ（ミリ秒）、０．５ｍｓ（ミリ秒）のうちから選び、直流駆動の実行時間の長さｔｄ１，ｔｄ２を、１０ｍｓ（ミリ秒）、２０ｍｓ（ミリ秒）、３０ｍｓ（ミリ秒）のうちから選ぶものとした。そして、複数の駆動パターンＤＷの個数は、前述の３種類の駆動パラメーターとその各数値とをそれぞれ組み合わせた全２７パターンを用意した。
【０２００】
実施例１，２および比較例において、上述した実施形態の機械学習を用いて、２７パターンの駆動パターンＤＷを適宜選択・実行させた。放電灯は、定格２３０Ｗの高圧水銀ランプとした。放電灯に２００Ｗの駆動電力Ｗｄが供給される場合における初期のランプ電圧Ｖｌａは６５Ｖであった。機械学習においては、ランプ電圧Ｖｌａの目標数値範囲を６０Ｖ以上、６５Ｖ以下とした。また、実施例１，２および比較例においては、放電灯の照度維持率Ｌｒが目標照度維持率ＬｒＴとなるように駆動電力Ｗｄを調整した。実施例１，２および比較例において駆動電力Ｗｄは、定格電力（２３０Ｗ）を上限とした。
【０２０１】
実施例１，２においては、ランプ電圧Ｖｌａが６５Ｖ（所定電圧値ＶｌａＰ）以下の場合、目標照度維持率ＬｒＴを１００％に維持した。また、実施例１，２においては、ランプ電圧Ｖｌａが６５Ｖ（所定電圧値ＶｌａＰ）よりも大きい場合に、ランプ電圧Ｖｌａの増加に応じて目標照度維持率ＬｒＴを低下させ、放電灯の照度を低下させた。実施例１における目標照度維持率ＬｒＴの減少量は、ランプ電圧Ｖｌａが１Ｖ増加するのに対して１％とした。実施例２における目標照度維持率ＬｒＴの減少量は、ランプ電圧Ｖｌａが１Ｖ増加するのに対して３％とした。
比較例においては、ランプ電圧Ｖｌａによらず、目標照度維持率ＬｒＴを１００％に維持した。
【０２０２】
実施例１，２および比較例ともに、２ｈ（時間）の点灯と、１５ｍｉｎ（分）の消灯と、を交互に繰り返させて、累積点灯時間が５００ｈ（時間）経過するごとに放電灯の照度の計測を行った。計測した照度から照度維持率Ｌｒを算出し、算出した照度維持率Ｌｒが９０％未満となった場合に、前回計測を行ったときの累積点灯時間を寿命の値として得た。なお、初めて点灯された際に放電灯に供給される駆動電力Ｗｄは、実施例１，２および比較例ともに２００Ｗとした。
【０２０３】
以上の計測・算出を、実施例１，２および比較例ともに、１０本の放電灯について行い、それぞれ得られた寿命の平均値を比較した。その結果、比較例では、寿命が１５００ｈ（時間）だったのに対して、実施例１では、寿命が６０００ｈ（時間）であり、実施例２では、寿命が５０００ｈ（時間）であった。したがって、ランプ電圧Ｖｌａが所定電圧値ＶｌａＰよりも大きい場合に、ランプ電圧Ｖｌａの増加に応じて放電灯９０の照度を低下させることで、放電灯の寿命を効果的に向上できることが確かめられた。以上により、本発明の有用性を確認できた。
【符号の説明】
【０２０４】
１０…放電灯点灯装置（放電灯駆動装置）、４０…制御部、４４…記憶部、９０…放電灯、９２…第１電極、９３…第２電極、２００…光源装置、２３０…放電灯駆動部、３３０Ｒ，３３０Ｇ，３３０Ｂ…液晶ライトバルブ（光変調装置）、３５０…投射光学系、５００…プロジェクター、５０２，５１２Ｒ，５１２Ｇ，５１２Ｂ…画像信号、ＤＷ…駆動パターン、Ｉ…駆動電流、Ｖｌａ…ランプ電圧（電極間電圧）、ＶｌａＰ…所定電圧値、Ｗｄ…駆動電力
【図１】
2019114432.tif 000003
【図２】
2019114432.tif 000004
【図３】
2019114432.tif 000005
【図４】
2019114432.tif 000006
【図５】
2019114432.tif 000007
【図６Ａ】
2019114432.tif 000008
【図６Ｂ】
2019114432.tif 000009
【図７】
2019114432.tif 000010
【図８Ａ】
2019114432.tif 000011
【図８Ｂ】
2019114432.tif 000012
【図９】
2019114432.tif 000013
【図１０】
2019114432.tif 000014
【図１１】
2019114432.tif 000015
【図１２】
2019114432.tif 000016
【図１３】
2019114432.tif 000017
【図１４Ａ】
2019114432.tif 000018
【図１４Ｂ】
2019114432.tif 000019
【図１５】
2019114432.tif 000020